(57)【要約】  高精細型又は大画面型の表示デバイスであっても、フレキシブル基板(フレキ)を用いて電気接続することで、優れた表示特性と小型化を期待できる画像表示装置を提供する。フレキは共通基板部と共通基板部より互いに分岐する第１基板部及び第２基板部を有しフレキ表面を見下ろすとき、第１基板部及び第２基板部の各々から共通基板部に向かって合流するように複数の配線が並設され、共通基板部には表示デバイスと接続するためのデバイス側接続端子、第１基板部及び第２基板部の各々には回路基板と接続するための回路側接続端子が形成され回路基板には一方の面に第１コネクター、他方の面に第２コネクターが配設され、フレキは第１基板部または第２基板部の少なくとも１つにおいて折り曲げられた状態で、第１コネクターに第１基板部の回路側接続端子が接続され、第２コネクターに第２基板部の回路側接続端子が接続される画像表示装置とする。
2011105062.tif 000002
【特許請求の範囲】
【請求項１】
画像表示デバイスと回路基板とが、フレキシブル基板により電気接続された画像表示装置であって、
前記フレキシブル基板は、共通基板部と、当該共通基板部より互いに分岐する第１基板部及び第２基板部とを有し、
当該フレキシブル基板表面を平面視したとき、前記第１基板部及び前記第２基板部の各々から前記共通基板部に向かって合流するように、複数の配線が並設され、
前記共通基板部には、前記画像表示デバイスと接続するためのデバイス側接続端子、前記第１基板部及び前記第２基板部の各々には、前記回路基板と接続するための回路側接続端子がそれぞれ形成され、前記各デバイス側接続端子は前記配線を介して前記各回路側接続端子と一対一で電気接続されており、
前記回路基板には、一方の面に第１コネクター、他方の面に第２コネクターが配設され、
前記フレキシブル基板は、前記第１基板部または前記第２基板部の少なくともいずれかにおいて折り曲げられた状態で、前記第１コネクターに前記第１基板部の回路側接続端子が接続され、前記第２コネクターに前記第２基板部の回路側接続端子が接続される
画像表示装置。
【請求項２】
前記各回路側接続端子のピッチが、前記各デバイス側接続端子間のピッチよりも大きく調整されている
請求項１に記載の画像表示装置。
【請求項３】
前記回路基板には、前記第１コネクター及び前記第２コネクターの少なくともいずれかが、複数個にわたり列状に配設されている
請求項２に記載の画像表示装置。
【請求項４】
前記第１基板部は長尺状であり、
前記第２基板部は、前記共通基板部から突設された分岐部と、当該分岐部から前記第１基板部の長手方向に平行に延伸された延伸部で構成され、前記第１基板部の長手方向末端及び前記第２基板部の延伸部の延伸方向末端の各々に、前記回路側接続端子が設けられている
請求項１に記載の画像表示装置。
【請求項５】
前記第１及び第２基板部はともに長尺状であり、
各々の長手方向に沿って、前記第２基板部の長さが前記第１基板部の長さよりも短く、且つ、前記第１基板部及び前記第２基板部にそれぞれ対応して配設される各配線の長さが同じである
請求項１に記載の画像表示装置。
【請求項６】
前記第１及び第２基板部はともに長尺状であり、
各々の長手方向に沿って、前記第２基板部の長さが前記第１基板部の長さよりも長く、且つ、前記第２基板部に対応して配設された各配線の長さが、前記第１基板部に対応して配設された各配線の長さよりも長い
請求項１に記載の画像表示装置。
【請求項７】
前記共通基板部より、前記第１基板部及び前記第２基板部と分岐する第３基板部が形成され、
前記第１基板部、前記第２基板部、前記第３基板部はともに長尺状であり、且つ、各長手方向に沿った長さが、互いに異なる
請求項１に記載の画像表示装置。
【請求項８】
前記フレキシブル基板において、前記各配線は、２層の樹脂フィルム層に被覆されている
請求項１に記載の画像表示装置。
【請求項９】
前記画像表示デバイスは、フロントパネル及びバックパネルが放電空間を挟んで対向配置され、両パネル間に放電ガスが封止されたプラズマディスプレイパネルであって、
前記フロントパネルは、フロントパネルガラス表面に、走査電極及び維持電極からなる一対の表示電極が複数対にわたり並設され、前記各複数対の表示電極が誘電体層で被覆されて構成され、
前記バックパネルは、バックパネルガラス表面にデータ電極が、前記表示電極と直交する方向に沿って並設され、前記各データ電極が誘電体層で被覆されて構成され、
前記フレキシブル基板の各デバイス側接続端子は、前記各走査電極と電気接続されている
請求項１に記載の画像表示装置。
【発明の詳細な説明】
【技術分野】
【０００１】
本発明は、平板型の画像表示デバイスを用いた画像表示装置に関し、特に画像表示デバイスと回路基板とを接続するためのフレキシブル基板の技術に関する。
【背景技術】
【０００２】
一般にプラズマディスプレイパネル（ＰＤＰ）や液晶ディスプレイパネル（ＬＣＤ）等に代表される、いわゆる平板型の画像表示デバイス（ＦＰＤ）では、ガラス等からなる基板表面に行方向および列方向に多数の電極が延伸して形成され、電極の交点位置等に対応して複数の画素がマトリクス状に配置される。【０００３】
これらの画像表示デバイスは、フレキシブル基板（Ｆｌｅｘｉｂｌｅ  Ｐｒｉｎｔｅｄ  Ｃｉｒｃｕｉｔｓ）を用いて駆動回路基板と電気接続され、画像表示装置として用いられる。駆動時にはフレキシブル基板を介し、所定の駆動電圧波形に基づいて駆動回路基板側から画像表示デバイスのそれぞれの電極に電圧印加がなされ、画像表示が実現される。【０００４】
このうち代表的な構造のＰＤＰでは、複数対の表示電極（走査電極及び維持電極）が延伸形成された前面基板と、複数のデータ（アドレス）電極が延伸形成された背面基板を、放電空間を内包させつつ、互いの電極がマトリクスを形成して交差するように対向配置させている。ＰＤＰは一般に長方形状の表示面を有し、通常、その長辺両側部にはデータ電極の電極端子が、一方の短辺側端部には走査電極の電極端子が、他方の短辺側部の他方には維持電極の電極端子が、それぞれ設けられる。各電極端子にはフレキシブル基板が取り付けられる（例えば、特許文献１参照）。ここでＰＤＰにおいては、走査電極の電極端子数が列方向に並ぶ画素数に等しくなっている。
【先行技術文献】
【特許文献】
【０００５】
【特許文献１】特開２００４−０８６１３４号公報
【発明の概要】
【発明が解決しようとする課題】
【０００６】
近年、ＰＤＰ等のＦＰＤの分野において、表示面の高精細化及び大画面化が進んでいる。これに伴い、例えばＰＤＰでは前記マトリクスを構成するように配される表示電極も微細化され、その結果、前記フレキシブル基板と接続される表示電極の電極端子も微細化される。【０００７】
しかしながら、ＰＤＰの各電極に対して所定の駆動電圧波形を印加するために当該駆動電圧波形を発生する駆動回路を実装した回路基板では、配線間隔や電極端子のピッチが狭すぎると絶縁破壊等の問題の発生が懸念されるため、所定の安全基準を満たさなければならない。これによりＰＤＰが高精細型であっても、ＰＤＰの電極端子のピッチに合わせて単純に駆動回路基板側の電極端子のピッチを狭くすることは難しい。【０００８】
上記問題の対策として、駆動回路を実装した回路基板上のコネクターや、当該基板の配線の配置の変更が考えられるが、本数が増加したり微細化された電極に対応してコネクターや配線の配置を変えることは非常に困難であるほか、回路基板の配置自体が困難になる問題が生じうる。【０００９】
一方、画像表示装置については小型化、コンパクト化が求められており、回路基板について小型化も要求されている。しかし、本数が増大した画像表示デバイス側の電極本数の増加に伴って、当該電極に電気接続される回路基板上のコネクターの数も増大するため、基板を小型化することは難しい。【００１０】
さらに、スペース効率を図るために回路基板上にコネクターを分散配置しようとすれば、フレキシブル基板同士が回路基板上で交錯し、画像表示装置の組み立て工数が増加する。或いは、形の異なる複数のフレキシブル基板を用いることで、各フレキシブル基板に付随するインピーダンス特性のばらつきや、インピーダンス値が増大し、結果的に画像表示デバイスに印加する駆動波形に歪みが重畳し、画像表示品質の低下を招くこととなる。【００１１】
このような問題について、優れた画像表示性能を発揮できる画像表示装置を製造する上で解決が望まれている。【００１２】
本発明は以上の課題に鑑みてなされたものであって、たとえ高精細型もしくは大画面型の画像表示デバイスであっても、画像表示デバイスと駆動回路を実装した回路基板とをフレキシブル基板を用いて容易かつコンパクトに電気接続することで、優れた画像表示特性と装置小型化を期待することのできる画像表示装置を提供することを目的とする。
【課題を解決するための手段】
【００１３】
上記目的を達成するために、本発明の一つの実施の形態に係る画像表示装置は、画像表示デバイスと回路基板とが、フレキシブル基板により電気接続された画像表示装置であって、前記フレキシブル基板は、共通基板部と、当該共通基板部より互いに分岐する第１基板部及び第２基板部とを有し、当該フレキシブル基板表面を平面視したとき、前記第１基板部及び前記第２基板部の各々から前記共通基板部に向かって合流するように、複数の配線が並設され、前記共通基板部には、前記画像表示デバイスと接続するためのデバイス側接続端子、前記第１基板部及び前記第２基板部の各々には、前記回路基板と接続するための回路側接続端子がそれぞれ形成され、前記各デバイス側接続端子は前記配線を介して前記各回路側接続端子と一対一で電気接続されており、前記回路基板には、一方の面に第１コネクター、他方の面に第２コネクターが配設され、前記フレキシブル基板は、前記第１基板部または前記第２基板部の少なくともいずれかにおいて折り曲げられた状態で、前記第１コネクターに前記第１基板部の回路側接続端子が接続され、前記第２コネクターに前記第２基板部の回路側接続端子が接続される画像表示装置とした。
【発明の効果】
【００１４】
上記本発明の一つの実施の形態に係る画像表示装置によれば、高精細度の画像表示デバイスであっても、画像表示デバイスの電極と駆動回路を実装した回路基板とを容易に接続できる画像表示装置を提供することが可能となる。
【図面の簡単な説明】
【００１５】
【図１】本発明の実施の形態１におけるフレキシブル基板の構成を示す平面図である。
【図２】本発明の実施の形態１におけるフレキシブル基板が折り曲げられた状態を示す斜視図である。
【図３】本発明の実施の形態２におけるフレキシブル基板の構成を示す平面図である。
【図４】本発明の実施の形態３におけるフレキシブル基板の構成を示す平面図である。
【図５】本発明の実施の形態４におけるフレキシブル基板の構成を示す平面図である。
【図６】本発明の実施の形態５におけるプラズマディスプレイ装置に用いるパネルの分解斜視図である。
【図７】本発明の実施の形態５におけるパネルの前面基板の表示電極対および対応する電極端子の配置を示す模式図である。
【図８】本発明の実施の形態５におけるプラズマディスプレイ装置に用いるパネルの各電極に印加する駆動電圧波形を示す図である。
【図９】本発明の実施の形態５におけるプラズマディスプレイ装置の回路ブロック図である。
【図１０】本発明の実施の形態５におけるプラズマディスプレイ装置の回路基板に実装された駆動回路を示す図である。
【図１１】本発明の実施の形態５におけるプラズマディスプレイ装置の構造を示す分解斜視図である。
【図１２】本発明の実施の形態５におけるプラズマディスプレイ装置のフレキシブル基板の様子を示す拡大図である。
【発明を実施するための形態】
【００１６】
以下、本発明の画像表示装置に用いる、フレキシブル基板の実施の形態１〜４について、各図面を参照しながら説明する。
【００１７】
（実施の形態１）
図１は、本発明の実施の形態１におけるフレキシブル基板１０の構成を示す、平面図である。
【００１８】
フレキシブル基板１０は、画像表示デバイスと駆動回路基板とを電気接続するための可撓性基板である。フレキシブル基板１０はポリイミド等の柔軟な絶縁性樹脂フィルムの片面に、銅箔等の導電性材料からなる複数（ここでは２７０本）の配線２５ａ、２５ｂを所定ピッチでストライプ状に形成し、その上から前記と同様の別の絶縁性樹脂フィルム（可撓性フィルム）で配線２５ａ、２５ｂを被覆して構成される。
【００１９】
フレキシブル基板１０は、図１に示すように、当該基板のほぼ全域を占める基板部１５と、当該基板部１５の端部に形成されたパネル（デバイス）側接続部１１、回路側接続部１２、１３とを備えてなる。
【００２０】
基板部１５はフレキシブル基板１０の主要部分であり、共通基板部１９、第１基板部１６及び第２基板部１８、並びに分岐部１７を備えている。
【００２１】
第１基板部１６は、共通基板部１９から第１の方向（図１の紙面左側から右側）に延伸された長尺状の基板部である。
【００２２】
第２基板部１８は、共通基板部１９から第１の方向と交差する方向に突設された分岐部１７より、さらに第１の方向に延伸された長尺状の基板部である。第１基板部１６及び第２基板部１８の長手方向は、フレキシブル基板１０では平行に配されているが、厳密に平行でなくてもよい。
【００２３】
図１に示すように、フレキシブル基板１０の表面を平面視した場合、配線２５ａは第１基板部１６の長手方向に沿って延伸され、互いに並設された第１のグループをなしている。一方、配線２５ｂは第２基板部１８の長手方向に沿って延伸され、互いに並設された第２のグループをなしている。そして、いずれの配線２５ａ、２５ｂも、共通基板部１９において、所定の間隔（ピッチ）で合流するように配設されている。ここで共通基板部１９上での配線２５ａ、２５ｂのピッチは、第１基板部１６及び第２基板部１８上での配線２５ａ、２５ｂのピッチよりも狭く調整されている。
【００２４】
各配線２５ａ、２５ｂの一方の端部（紙面左側）には、共通基板部１９において外部露出されて形成されたパネル側接続端子（デバイス側接続端子）２１ａ、２１ｂが電気接続されている。一方、各配線２５ａ、２５ｂの他方の端部（紙面右側）には、第１基板部１６及び第２基板部１８において外部露出された回路側接続端子２２、２３が電気接続されている。
【００２５】
各パネル側接続端子２１ａ、２１ｂは所定ピッチで並設され、当該並設領域が、図示しないＰＤＰ等の画像表示デバイス側に設けられた電極端子と接続される、パネル側接続部１１となる。一方、回路側接続端子２２、２３もそれぞれ所定ピッチで並設され、各々の並設領域が図示しない駆動回路基板上のコネクターに接続される、第１回路側接続部１２及び第２回路側接続部１３となる。
【００２６】
なお、分岐部１７と共通基板部１９の境界付近には、第１基板部１６側に第２基板部１８及び分岐部１７を折り曲げるための折り曲げ部２９（図１では一点鎖線で図示）が存在する。
【００２７】
ここで、パネル側接続部１１中の各パネル側接続端子２１ａ、２１ｂのピッチは、当該パネル側接続端子２１ａ、２１ｂに接続されるパネル側の電極端子のピッチに合わせている。一方、回路側接続部１２、１３中の回路側接続端子２２、２３のピッチも、駆動回路基板側上のコネクター内のピッチに合わせている。
【００２８】
ここで一般的に、駆動回路基板に実装されたコネクター内の接続端子のピッチは、電圧印加対象の画像表示デバイスに供給する電圧値や電流値による制約（コネクター内での絶縁破壊等の発生を防止する目的）によって、所定値より小さくすることができない。
【００２９】
このため、特に高精細型ＰＤＰ等の画像表示デバイスでは、当該デバイス上の電極ピッチが非常に狭くなるにもかかわらず、駆動回路基板上のコネクターの端子間距離が安全基準等により制限された関係となる。このため、回路側接続部１２、１３に設けられた回路側接続端子２２、２３のピッチは、いずれもパネル側接続部１１に設けられたパネル側接続端子２１ａ、２１ｂのピッチより広い。
【００３０】
そこで本実施の形態１におけるフレキシブル基板１０では、その特徴として、パネル側接続端子２１ａ、２１ｂのピッチを接続端子２２、２３のピッチよりも狭く設定することで、各々の接続端子の接続先である画像表示デバイスまたは駆動回路基板側と良好に接続できるようになっている。具体例として、パネル側接続部１１のパネル側接続端子２１ａ、２１ｂの本数を配線２５の本数に合わせた２７０個とし、パネル側接続端子２１ａ、２１ｂ同士のピッチを画像表示デバイスに合わせた０．２６ｍｍに設定する。一方、回路側接続部１２の回路側接続端子２２および回路側接続部１３の回路側接続端子２３の数についてはそれぞれ１３５個ずつとし、回路側接続端子２２同士（回路側接続端子２３同士）のピッチを駆動回路基板に合わせた０．４２ｍｍに設定する。フレキシブル基板１０では、このように回路側接続端子２２および回路側接続端子２３のピッチをパネル側接続端子２１ａ、２１ｂのピッチより広く設定するとともに、両ピッチの変化に合わせて配線２５ａ、２５ｂの間隔も変化するように調節している。
【００３１】
次に、フレキシブル基板１０を駆動回路基板に接続する手順例を説明する。図２は、フレキシブル基板１０を回路基板９０に接続する際の様子を示す斜視図である。回路基板９０の側面付近の両面において、一方の面にコネクター９２、他方の面にコネクター９３がそれぞれ配設されている。実際にコネクターを実装する配置の関係上、コネクター９２、９３は基板９０を挟んで互いにずれた位置に配置される。
【００３２】
フレキシブル基板１０を回路基板９０に接続する際には、まず図２のように折り曲げ部２９に沿って分岐部１７、第２基板部１８を緩やかに折り曲げる。次に、第１基板部１６の先端に設けられた回路側接続部１２は、回路基板９０の裏面にあるコネクター９２に差し込む。一方、第２基板部１８の先端に設けられた回路側接続部１３は、回路基板９０の他方の面にあるコネクター９３に差し込む。フレキシブル基板１０では第１基板部１６、第２基板部１８が互いに分岐しており、且つ、折り曲げ部２９に沿って無理なく折り曲げられているため、回路側接続部１２、１３を無理なく回路基板９０側に接続することができる。
【００３３】
なお、フレキシブル基板１０を折り曲げる程度としては、フレキシブル基板１０を折り目がつく程度まで折り畳む必要はなく、図２に示すように、折り曲げ部２９に沿って、なだらかな曲率で緩やかにフレキシブル基板１０を曲げる状態をも含むものとする。
【００３４】
なお、パネル側接続部１１は図示しないＰＤＰなどの画像表示デバイス側に接続される。
【００３５】
ここで、共通基板部１９から第１基板部１６及び第２基板部１８が分岐して設けられているため、フレキシブル基板１０はいったん折り曲げ部２９に沿って緩やかに折り曲げられた部分をさらに別の方向に折り曲げることなく、破損・損傷を防いで良好な形態を保ちながら回路基板９０側に接続でき、長寿命を期待できる。また、各電極端子２１ａ、２１ｂ、１２、１３の各ピッチを適切に変化させたフレキシブル基板１０を用いることで、回路基板９０上のコネクター９２、９３中の接続端子のピッチの制約を受けることなく、図示しない画像表示デバイスと回路基板９０とを良好に電気接続することができる。
【００３６】
すなわち上述したように、フレキシブル基板１０では、回路側接続部１２に設けられた回路側接続端子２２および回路側接続部１３に設けられた回路側接続端子２３のピッチは、回路基板９０やコネクター９２、９３の規格上の制約を受け、パネル側接続部１１中の接続端子２１ａ、２１ｂのピッチより広く設定されている。このため、パネル側接続部１１に比べ、回路側接続部１２、１３の合計幅は広くなる。しかしながら、このようにフレキシブル基板１０を折り曲げて回路側接続部１２、１３を回路基板９０の両面に配されたコネクター９２、コネクター９３に接続すれば、回路側接続端子２２、２３のピッチの都合上、パネル側接続部１１に比べて幅広になっている回路側接続部１２、１３を、駆動回路基板側に良好に電気接続できる。これに加えて、接続後のフレキシブル基板１０の占有幅が、第１基板部１６または第２基板部１８の幅（パネル側接続部１１の幅）と同程度に収まるので、回路側接続部１２、１３の合計幅が比較的広くても、極めてコンパクトな接続形態を形成できる。これにより、回路基板９０上にコネクター９２、９３を複数に亘り形成する場合は、当該コネクター９２、９３をある程度密に、例えばそれぞれ一列に配列しても、フレキシブル基板をそれほど嵩張らずに接続できる。従って、たとえ電極端子のピッチが細かい高精細型パネルのＰＤＰを駆動回路基板に電気接続する場合であっても、複数のフレキシブル基板１０を前記ＰＤＰ側の電極端子に並べて接続し、各フレキシブル基板１０を回路基板９０上のコネクター９２、９３に対してコンパクトに接続することにより、良好な電気接続を図れる。さらに、回路基板９０の各表面にコネクター９２、９３を１列に密に配置できるため、当該基板９０に対してフレキシブル基板１０を密に接続でき、画像表示装置の小型化に貢献できる。
【００３７】
なお上記構成例では、各接続端子２１ａ、２１ｂ、２２、２３の配設個数の一例として、パネル側接続端子２１ａ、２１ｂを２７０個、回路側接続端子２２、２３をともに１３５個とした。この場合には、回路側接続端子２２の配設個数と回路側接続端子２３の配設個数とが等しく、かつ回路側接続端子２２の配設個数と回路側接続端子２３の配設個数の和がパネル側接続端子２１ａ、２１ｂの配設個数の和と等しくなる。しかしながら、本発明では配設個数をこれらの数値およびこれらの関係に限定されない。回路側接続端子２２および回路側接続端子２３の配設個数は互いに異なっていても良いし、回路側接続端子２２の配設個数と回路側接続端子２３の配設個数との和をパネル側接接続端子２１ａ、２１ｂの配設個数に合わせなくてもよい。また、ダミー端子を含めることもできる。例えば、回路側接続部１２および回路側接続部１３にダミーの接続端子が含まれている場合には、回路側接続端子２２の配設個数と回路側接続端子２３の配設個数との和をパネル側接接続端子２１ａ、２１ｂの配設個数より多く設定することもできる。
【００３８】
また他の例として、画像表示デバイスの電極に印加する駆動電圧波形を発生させるための集積回路が駆動回路基板において複数実装されており、１つの集積回路から、例えば９０本分の駆動電圧波形が出力される場合を想定する。このとき、回路側接続部１２の回路側接続端子２２の配設個数は集積回路２個分の１８０個、回路側接続部１３の回路側接続端子２３の配設個数は集積回路１個分の９０個にそれぞれ設定してもよい。このように、回路側接続端子２２と回路側接続端子２３との配設個数が異なっていてもよい。また上記では各接続端子の配設個数を集積回路の出力数の整数倍としたが、集積回路の出力数とは関係なく設定してもよい。
【００３９】
以下、本発明の別の実施の形態について、実施の形態１との差異を中心に順次説明する。
【００４０】
（実施の形態２）
図３は、本発明の実施の形態２に係るフレキシブル基板１０Ａを示す平面図である。
【００４１】
フレキシブル基板１０Ａは、全体的な形状はフレキシブル基板１０と同様に、基板部１５Ａにおいて、共通基板部１９から延出した第１基板部１６Ａと、分岐部１７Ｘを介して第１基板部１６Ａの長手方向に沿って延伸された第２基板部１８Ｘを備える。ここで、全ての配線２５ａ、２５ｂの長さが同一に揃えられている点がフレキシブル基板１０と異なっている。これにより、パネル側接続端子２１ａから回路側接続端子２２までの電流経路長、及びパネル側接続端子２１ｂから回路側接続端子２３までの電流経路長が同一になっている。
【００４２】
なお、ここで言う「同一」とは、完全同一に限定されず、実際上の設計誤差を含め、±５％以内の誤差を含む。全ての配線２５ａ、２５ｂの長さを同一にしたことにより、フレキシブル基板１０Ａではフレキシブル基板１０に比べて第２基板部１８Ｘの長さが短くなっている。
【００４３】
このような調整により、フレキシブル基板１０Ａでは、パネル側接続端子２１ａ、２１ｂと回路側接続端子２２、２３を結ぶ全ての電流経路のインピーダンスが等しくなるため、画像表示デバイスの画像表示性能の向上を期待することができる。以下、その理由を説明する。
【００４４】
実施の形態５にて後述するように、例えばＰＤＰの走査電極には、維持期間において大きなピーク電流を流す必要がある。このとき仮に走査電極のそれぞれに至る電流経路のインピーダンスのばらつきが存在すると、駆動電圧波形に重畳するリンギングにもばらつきが発生するため、画像表示品質の低下を招くおそれがある。
【００４５】
この問題に対し、フレキシブル基板１０Ａを用いて、駆動回路基板と画像表示デバイス（ＰＤＰ）を電気接続した画像表示装置では、各走査電極に至るそれぞれの配線の電流経路のインピーダンスをほぼ等しくすることができるので、リンギングのばらつきを抑え、優れた品質の画像表示性能を発揮することが可能な画像表示装置を実現できることとなる。
【００４６】
（実施の形態３）
図４に、本発明の実施の形態３に係るフレキシブル基板１０Ｂを示す。
【００４７】
フレキシブル基板１０Ｂは、基板部１５Ｂにおいて、共通基板部１９より互いに対称な形状を持つ分岐部１７Ａ、１７Ｂ及び第１基板部１８Ａ、第２基板部１８Ｂを形成してなる。この場合、折り曲げ部２９はいずれかの分岐部１７Ａ、１７Ｂの上に設けられる。図４では、分岐部１７Ｂの上に折り曲げ部２９Ａを設けた構成を示している。フレキシブル基板１０Ｂでは、第１基板部１８Ａが分岐部１７Ａより延伸して配されている。
【００４８】
このような構成を持つフレキシブル基板１０Ｂにおいても、実施の形態１のフレキシブル基板１０と同様の効果を期待できる。また、実施の形態２と同様に各配線２５ａ、２５ｂの長さが同一であるため、フレキシブル基板１０Ｂにおいて電流経路が同一になり、インピーダンス特性の均一化が図れるという効果も奏される。
【００４９】
（実施の形態４）
次に図５に実施の形態４に係るフレキシブル基板１０Ｃの構成を示す。
【００５０】
フレキシブル基板１０Ｃは、実施の形態３のフレキシブル基板１０Ｂを基本構造とする基板部１５Ｃを有し、さらに共通基板部１９から第３基板部１８Ｃを設けた構成を持つ。第１基板部１８Ａ、第２基板部１８Ｂ、第３基板部１８Ｃは、いずれも所定距離をおいて、互いに平行に延伸された長尺状体であり、それぞれ長手方向長さが異なっている。図５の構成例では、第３基板部１８Ｃ、第２基板部１８Ｂ、第１基板部１８Ａの順に長さが長く調整されている。しかしながら、この順序の長さの違いには限定されない。第１基板部１８Ａ、第２基板部１８Ｂ、第３基板部１８Ｃの各長手方向端部には回路接続部１２、１３、１４がそれぞれ設けられ、同順に接続端子２２、２３、２４がそれぞれ所定ピッチで配設されている。３つの基板部１８Ａ〜１８Ｃには、それぞれ配線２５ａ、２５ｂ、２５ｃが配される。また共通基板部１９のパネル側接続部１１には、配線２５ａ、２５ｂ、２５ｃと接続されるパネル側接続端子２１ａ、２１ｂ、２１ｃが所定ピッチで配設されている。
【００５１】
また、分岐部１７Ａ、１７Ｂの各上に折り曲げ部２９Ａ、２９Ｂが設けられている。
【００５２】
このような構成のフレキシブル基板１０Ｃは、例えば一方の面に第１のコネクター、他方の面に第２及び第３のコネクターが直列に設けられた駆動回路基板に対して、容易に接続することができる。
【００５３】
すなわち、駆動回路基板の一方の面に設けられた第１コネクターに対して、まず接続部１４を接続する。次に折り曲げ部２９Ａ、２９Ｂにて分岐部１７Ａ、１７Ｂ及び基板部１８Ａ、１８Ｂを紙面奥側に折り返し、駆動回路基板の他方の面に配された第２コネクター、第３コネクターに接続部１２、１３をそれぞれ差し込む。このとき、基板部１８Ａ〜１８Ｃの長さが互いに異なっているため、３つのコネクターが駆動回路基板を平面視した場合に直列に配設されている場合、特に効率よく接続部１２〜１４を接続することが可能である。
【００５４】
次に、本発明の実施の形態５として、実施の形態１に係るフレキシブル基板１０を用いてなる画像表示装置の構成例を各図を参照しながら説明する。
【００５５】
（実施の形態５）
図６は、本発明の実施の形態５におけるプラズマディスプレイ装置に用いるパネル（ＰＤＰ）の分解斜視図である。
【００５６】
ＰＤＰ３０は長方形状の表示面を持ち、前面基板（フロントパネル）３７と背面基板（バックパネル）４７とを放電空間をおいて対向配置し、両基板３７、４７を各周囲において封着し、前記放電空間に放電ガスを封入して構成される。
【００５７】
具体的に前面基板３７では、フロントパネルガラス３１の一方の表面に、帯状の走査電極３２及び維持電極３３とからなる一対の表示電極対３４を、複数対にわたり並設している。そして、表示電極対３４を覆うように所定の比誘電率を有する誘電体層３５が形成され、当該誘電体層３５の上に、放電の衝撃から誘電体層３５を保護するとともに、二次電子放出特性を発揮するための保護層３６が形成される。
【００５８】
一方、背面基板４７では、バックパネルガラス４１の表面に帯状のデータ（アドレス）電極４２を平行に並設し、各データ電極４２を覆うように誘電体層４３を形成している。誘電体層４３の表面には、井桁状の隔壁４４が形成される。隔壁４４の側面及びこれに取り囲まれる誘電体層４３の表面には、ＲＧＢいずれかの色の蛍光体層４５が形成される。
【００５９】
なお表示電極対３４を構成する走査電極３２、維持電極３３、及びデータ電極４２の各々は、前面板３７の画像表示領域の外側に位置する周辺部に所定ピッチで設けられた電極端子の各々に対し、一対一で接続される。ここで、ＰＤＰ３０を超高精細型パネルとする場合、その走査電極３２および維持電極３３の数ｎは、例えばｎ＝２１６０本に及ぶ。
【００６０】
前面基板３７と背面基板４７とは、微小な放電空間４６を挟んで表示電極対３４とデータ電極４２とが交差するように対向配置され、その周囲において、ガラスフリット等を含む封着材によって封着される。そして放電空間４６には、例えばネオンとキセノンの混合ガスからなる放電ガスが、所定圧力で封入されている。
【００６１】
放電空間４６は隔壁４４によって複数の区画に仕切られており、表示電極対３４とデータ電極４２とが交差する個々の部分に対応して、放電セルが形成されている。これにより、例えば行方向に長いｎ本の走査電極３２およびｎ本の維持電極３３をフロントパネルガラス３１上に配列し、列方向に長いｍ本のデータ電極４２をバックパネルガラス４１上に配列したＰＤＰ３０では、合計ｍ×ｎ個の放電セルが形成されることになる。
【００６２】
このような構成を持つＰＤＰ３０では、駆動時にはいずれかの放電セルにおいて走査電極３２とデータ電極４２との間で書き込み放電がなされ、発光すべき放電セルが特定されたのち、当該放電セルに位置する一対の表示電極対３４間において維持放電が発生する。このとき生じる紫外線を蛍光体層４５で可視光変換し、可視光を外部に取り出すことで、所定の画像表示が実現される。たとえばｍ×ｎ個の放電セルが形成された場合、当該放電セルの形成領域が前面基板３７の画像表示領域となる。
【００６３】
次に示す図７は、ＰＤＰ３０の前面基板３７において、フロントパネルガラス３１上における表示電極対３４（走査電極３２及び維持電極３３）と、電極端子５２、５６の配置関係を示す模式図である。
【００６４】
各走査電極３２には、異なった駆動電圧を印加する必要がある。そのために各走査電極３２は引出し線５１によって、表示面側から見た場合の画像表示領域外の右側の周辺部（従って図７の左側の周辺部）に設けられた各走査電極用電極端子５２と独立して接続されている。走査電極用電極端子５２には、実施の形態１に係るフレキシブル基板１０のパネル側接続部１１と接続するために、複数本ずつグルーピングされて電極端子群５３として配置されている。ここで図７では、４８本の走査電極３２と、８本ずつ６つの電極端子群５３にグルーピングされた４８本の走査電極用電極端子５２とを示している。
【００６５】
本実施の形態５においては、例えば走査電極３２は２１６０本とし、走査電極用電極端子５２は２７０本ずつ８個の電極端子群５３にグルーピングすることができる。この場合、それぞれの電極端子群５３に１枚ずつ、合計８枚のフレキシブル基板１０が接続される。
【００６６】
一方、維持電極３３のそれぞれには同一の駆動電圧を印加すればよいので、各維持電極３３は一括して同電位の電圧を印加するための短絡線５５に接続されている。そして短絡線５５にフレキシブル基板５８を接続するために、維持電極用電極端子５６が複数の電極端子群５７にグルーピングされ、画像表示領域外の左側周辺部（従って図７の右側の周辺部）に設けられている。
【００６７】
なお、図７に示す結線はもちろん例示に過ぎない。このため、各維持電極３３を複数の維持電極群に分割し、それぞれの維持電極群で異なった駆動電圧波形を印加できるように、同一の駆動電圧波形を印加する維持電極同士を短絡線で短絡し、それぞれの短絡線に対してフレキシブル基板５８を接続してもよい。
【００６８】
なお、図７に示す電極３２、３３の各本数は構成理解のために減じたものであり、当然ながら本発明はこの本数に限定されない。
【００６９】
次に、ＰＤＰ３０を駆動するための駆動電圧波形の一例について、図８を用いて説明する。
【００７０】
図８に示すように、ＰＤＰ３０の駆動方法としては、１フィールドの期間を複数のサブフィールドに分割し、それぞれのサブフィールドで各放電セルの発光・非発光を制御することにより画像を表示する、いわゆる時分割表示方式を採用できる。各サブフィールドは初期化期間、書込み期間、維持期間を有する。なお、図８には３つのサブフィールドに対する駆動電圧波形を示しているが、各フィールドに存在する他のサブフィールドにおける駆動電圧波形もほぼ同様である。
【００７１】
図８に示すように、最初のサブフィールドにおける初期化期間では、データ電極４２および維持電極３３に電圧０（Ｖ）を印加するとともに、走査電極３２に電圧Ｖｉ１から電圧Ｖｉ２に向かって緩やかに上昇するランプ電圧を印加する。その後、維持電極３３に電圧Ｖｅ１を印加するとともに、走査電極３２に電圧Ｖｉ３から電圧Ｖｉ４に向かって緩やかに下降するランプ電圧を印加する。すると各放電セルで微弱な初期化放電が発生し、続く書込み動作に必要な壁電荷が、各電極３２、３３、４２付近に対応する放電セル内領域に形成される。
【００７２】
なお、初期化期間の動作としては、データ電極４２及び維持電極３３の電位を維持しつつ、２番目および３番目のサブフィールドの初期化期間に示したように、走査電極３２に対して緩やかに下降するランプ電圧を印加するだけでもよい。
【００７３】
続く書込み期間では、維持電極３３に電圧Ｖｅ２を、走査電極３２に電圧Ｖｃをそれぞれ印加する。次に、最初に書込み動作を行う走査電極３２に電圧Ｖａの走査パルスを印加するとともに、発光すべき放電セルに対応するデータ電極４２に電圧Ｖｄの書込みパルスを印加する。すると走査パルスと書込みパルスとが同時に印加された放電セルでは書込み放電が発生し、放電セルの走査電極３２上および維持電極３３上に壁電荷を蓄積する書込み動作が行われる。
【００７４】
次に、２番目に書込み動作を行う走査電極３２に走査パルスを印加するとともに、発光すべき放電セルに対応するデータ電極４２に書込みパルスを印加する。すると走査パルスと書込みパルスとが同時に印加された放電セルでは書込み放電が発生して書込み動作が行われる。このような書込み動作を発光すべき全ての放電セルで行い、発光すべき放電セルに対して選択的に書込み放電を発生させ、壁電荷を形成する。
【００７５】
このように走査電極３２には、それぞれ異なった駆動電圧を印加する必要がある。また電圧Ｖｃと電圧Ｖａとの差電圧は、通常は５０（Ｖ）〜１５０（Ｖ）程度である。そのため、この差電圧に依存して、フレキシブル基板１０の回路側接続部１２、１３の接続端子２２、２３の間隔や、それを接続する駆動回路基板側コネクターの端子間距離の最小値が制限されることとなる。
【００７６】
続く維持期間では、維持電極３３に電圧０（Ｖ）を印加する。そして走査電極３２に電圧Ｖｓの維持パルスを印加する。すると、書込み放電を起こした放電セルでは維持放電が起こり発光する。
【００７７】
次に、走査電極３２に電圧０（Ｖ）を印加するとともに、維持電極３３に電圧Ｖｓの維持パルスを印加する。すると維持放電を起こした放電セルでは再び維持放電が起こり発光する。以降、輝度重みに応じた維持パルスを走査電極３２と維持電極３３とに交互に印加して、放電セルを発光させる。
【００７８】
このとき、走査電極３２のそれぞれには放電に伴う大きなピーク電流が流れる。そしてこの電流を安定して流すために、回路基板の配線の太さやフレキシブル基板の回路側接続部の接続端子の幅の最小値が制限される。
【００７９】
そして、維持期間の最後には電圧Ｖｒに向かって緩やかに上昇するランプ電圧を走査電極３２に印加して、データ電極４２上の正の壁電圧を残したまま、走査電極３２上および維持電極３３上の壁電圧を弱める。こうして維持期間における維持動作が終了する。
【００８０】
続くサブフィールドにおいても、上述したサブフィールドと同様の動作を行う。このようにして、１フィールドの期間を複数のサブフィールドで構成し、放電セルを発光させるサブフィールドを制御して階調表示することができる。
【００８１】
なお、画素数の多い高精細型パネルでは、全ての表示電極対３４に対して上述した駆動方法を適用すると、書込み動作に要する時間が長くなりすぎて階調表示に必要なサブフィールド数が確保できなくなるという問題がある。しかしその場合には、例えば表示電極対３４を複数の表示電極対グループに分け、それぞれの表示電極対グループ毎に上述した駆動方法を適用することで必要とするサブフィールド数を確保することができる。
【００８２】
図９は、本発明の実施の形態５におけるプラズマディスプレイ装置６０の回路ブロック図である。
【００８３】
当図に示すように、プラズマディスプレイ装置６０は、ＰＤＰ３０、画像信号処理回路６１、データ電極駆動回路６２、走査電極駆動回路６３、維持電極駆動回路６４、タイミング発生回路６５および各回路ブロックに必要な電源を供給する電源部（図示せず）を備えている。
【００８４】
画像信号処理回路６１は、入力された画像信号をサブフィールド毎の発光・非発光を示す画像データに変換する。データ電極駆動回路６２はサブフィールド毎の画像データをデータ電極４２のそれぞれに印加する書込みパルスに変換する。タイミング発生回路６５は水平同期信号、垂直同期信号をもとにして各回路ブロックの動作を制御する各種のタイミング信号を発生し、それぞれの回路ブロックへ供給する。走査電極駆動回路６３はタイミング信号にもとづいて走査電極３２のそれぞれに印加する駆動電圧波形を発生し、維持電極駆動回路６４はタイミング信号にもとづいて維持電極３３に印加する駆動電圧波形を発生する。そしてこれらの駆動回路は、複数枚の回路基板上に実装されている。
【００８５】
次に図１０は、本発明の実施の形態５におけるプラズマディスプレイ装置６０の回路基板に実装された駆動回路を示す図であり、走査電極駆動回路６３の一例を示している。
【００８６】
この構成例では、走査電極駆動回路６３の維持パルスを発生する維持パルス発生部と初期化波形を発生する初期化波形発生部とは回路基板７１に実装されている。また、走査パルスを発生させる走査パルス発生部６９は回路基板７２および回路基板７３に分割して実装されている。
【００８７】
図１１は、本発明の実施の形態５における画像表示装置である、プラズマディスプレイ装置６０の構造を示す分解斜視図である。
【００８８】
プラズマディスプレイ装置６０では、ＰＤＰ３０はその背面において、複数の熱伝導シート８２を介してシャーシ８１に取着される。さらにシャーシ８１の背面には、ＰＤＰ３０を駆動するための電源回路基板及び各駆動回路基板（走査電極駆動回路、維持電極駆動回路、タイミング発生回路等、ＰＤＰ３０を駆動するための回路を搭載した回路基板群８３）が配設される。これらＰＤＰ３０と回路基板群８３とは、フレキシブル基板１０、５８、５９を介して電気的に接続される。これらの構成要素は、いずれも前面枠８４およびバックカバー８５の間に収納されている。
【００８９】
具体的にみるとＰＤＰ３０では、一方の短辺側（図１１の紙面手前側）に走査電極用電極端子５２、他方の短辺側に維持電極用電極端子５６、長辺側にデータ電極用電極端子）がそれぞれ設けられている（いずれも不図示）。
【００９０】
そして、走査電極用電極端子にはフレキシブル基板１０、維持電極用電極端子にはフレキシブル基板５８、データ電極用電極端子にはフレキシブル基板５９がそれぞれ電気的に接続される。
【００９１】
熱伝導シート８２は、ＰＤＰ３０をシャーシ８１に接着する接着手段であるとともに、ＰＤＰ３０で発生した熱をシャーシ８１に放熱して逃がすために設けられている。シャーシ８１は、一方の面で熱伝導シート８２を介してＰＤＰ３０を保持するとともに、他方の面で回路基板群８３の各回路基板も保持している。
【００９２】
図１１には、回路基板群８３のうち、走査電極駆動回路６３の維持パルス発生部と初期化波形発生部とを実装した回路基板７１、および走査電極駆動回路６３の走査パルス発生部６９を実装した回路基板７２、回路基板７３を明示している。また回路基板７２、回路基板７３には、走査電極３２のそれぞれに駆動電圧波形を出力するためのコネクター７６およびコネクター７７がそれぞれ複数設けられている。本実施の形態５においては、回路基板７２、回路基板７３の一方の面（裏面）に、フレキシブル基板１０の回路側接続部１２を接続するコネクター７６が複数設けられ、回路基板７２、回路基板７３の他方の面（表面）に、フレキシブル基板１０の回路側接続部１３を接続するコネクター７７が複数設けられている。
【００９３】
ＰＤＰ３０の走査電極用電極端子５２に接続されたフレキシブル基板１０は、回路側接続部１２および１３（不図示）において、シャーシ８１を乗り越えてコネクター７６およびコネクター７７のそれぞれに接続されている（図中の２点鎖線矢印）。
【００９４】
図１２は、本発明の実施の形態５におけるプラズマディスプレイ装置６０のフレキシブル基板１０の接続の様子を示す拡大図である。
【００９５】
当図に示す構成では、フレキシブル基板１０を接続するため、回路基板７２の一方の主面にコネクター７６、他方の主面にコネクター７７がそれぞれ配設されている。
【００９６】
フレキシブル基板１０におけるパネル側接続部１１は、ＰＤＰ３０の前面基板３１の短辺側の一方に設けられた走査電極用電極端子５２（図示せず）に接続されている。フレキシブル基板１０を走査電極用電極端子５２に接続するには、例えば異方性導電フィルムを挟んでフレキシブル基板１０と走査電極用電極端子５２とを重ね、加熱圧着すればよい。
【００９７】
フレキシブル基板１０は第２基板部１８が第１基板部１６と重なるように折り曲げ部２９で折り曲げられており、この状態でシャーシ８１（図示せず）を乗り越えて回路基板７２側へ曲げられている。そしてフレキシブル基板１０の回路側接続部１２は回路基板７２の裏面側に設けられたコネクター７６に接続され、回路側接続部１３は回路基板７２の表面側に設けられたコネクター７７に接続されている。
【００９８】
なお、図１２には構成理解のためシャーシ８１を省略しているが、図１１に示したように、ＰＤＰ３０と回路基板７２との間にはシャーシ８１が存在する。
【００９９】
図８を用いて説明したように、ＰＤＰ３０の走査電極３２にはそれぞれ異なった駆動電圧波形を印加する必要があり、異なる走査電極３２には書込み期間において５０（Ｖ）〜１５０（Ｖ）の大きな電位差が印加される。さらに維持期間において走査電極３２には大きな電流を流す必要がある。そのため、回路側接続端子２２および回路側接続端子２３のピッチは無制限に小さくできない。一方、ＰＤＰ３０を高精細型パネルとする場合、走査電極用電極端子５２の間隔は走査電極３２の間隔に依存して狭くなる。そのため回路側接続端子２２および回路側接続端子２３のピッチとしては、パネル側接続部１１に設けられた接続端子２１ａ、２１ｂのピッチよりも広くせざるを得ない。
【０１００】
しかしながら、実施の形態１におけるフレキシブル基板１０を用いることで、パネル側接続端子２１ａ、２１ｂと回路側接続端子２２、２３の互いのピッチが同一でない場合でも、当該フレキシブル基板１０上で各端子２１ａ、２１ｂ、２２、２３のピッチを適宜変化させ、そのピッチ差を吸収することが可能である（図１参照）。
【０１０１】
また、フレキシブル基板１０を折り曲げ部２９に沿って緩やかに折り曲げ、回路基板７２の裏面側に設けられたコネクター７６と表面側に設けられたコネクター７７とに接続することで、フレキシブル基板１０を実装したときにフレキシブル基板１０が占有する幅をパネル側接続部１１の幅と同程度に収めることができる。そのため、高精細型パネルのＰＤＰ３０に複数のフレキシブル基板１０を接続した画像表示装置であっても、コネクター７６、コネクター７７を例えば回路基板７２の表面上および裏面上にそれぞれ１列に配置し、密に各フレキシブル基板１０を接続することができ、コンパクトな画像表示装置を実現できる。
【０１０２】
なお本実施の形態５のプラズマディスプレイ装置６０においては、パネル側接続部１１と回路側接続部１３との距離が、パネル側接続部１１と回路側接続部１２との距離よりも長いフレキシブル基板１０を例に説明した。これはコネクター７６を回路基板７２の端部に近い裏面側に配置し、コネクター７７を回路基板７２の端部から遠い表面側に配置することで、回路側接続部１２とコネクター７６とを作業性よく接続し、回路側接続部１３とコネクター７７とを作業性よく接続するためである。
【０１０３】
しかし本発明はこれに限定されるものではない。例えばコネクター７６は回路基板７２の端部から遠い裏面側に配置され、コネクター７７は回路基板７２の端部に近い表面側に配置されてもよく、またコネクター７６が配置される端部からの距離は、コネクター７７が配置される端部からの距離とほぼ等しくてもよい。あるいは、回路基板７２、回路基板７３の表面側にフレキシブル基板１０の回路側接続部１２を接続するコネクター７６が複数設けられ、回路基板７２、回路基板７３の裏面側にフレキシブル基板１０の回路側接続部１３を接続するコネクター７７が複数設けられてもよい。このように、コネクター７６およびコネクター７７が配置される位置は、パネル側接続部１１と回路側接続部１２および回路側接続部１３との位置、配線２５が形成される基材の面等に依存して設定される。
【０１０４】
（その他の事項）
実施の形態５では、実施の形態１のフレキシブル基板１０をＰＤＰ３０と駆動回路基板７１〜７３に接続した画像表示装置について例示したが、当然ながら本発明はこの構成に限定されず、その他の実施の形態２〜４のいずれかのフレキシブル基板をＰＤＰ３０と駆動回路基板７１〜７３に接続した画像表示装置とすることもできる。
【０１０５】
なお、実施の形態１〜５において示した具体的な数値等は例示にすぎず、本発明はこれらの数値に何ら限定されるものではない。これらの数値等は、使用する画像表示デバイスの特性や画像表示装置の仕様等にあわせて最適に設定することが望ましい。
【０１０６】
また、上記各実施の形態１、５では、フレキシブル基板１０の回路側接続部１２、１３を主として回路基板７２、７３に接続する構成を例示したが、当然ながら本発明はこれに限定されず、画像表示装置内部に配設される、その他の回路基板にフレキシブル基板の回路側接続部を接続することもできる。
【０１０７】
上記実施の形態５では、画像表示デバイスとしてＰＤＰを例示したが、ＬＣＤや有機ＥＬディスプレイパネル（ＯＥＬＤ）等、その他の画像表示デバイスに置き換えることも可能である。
【産業上の利用可能性】
【０１０８】
本発明は、例えば高精細型パネルのＰＤＰの他、一般的な規格のＰＤＰや、ＬＣＤ、ＯＥＬＤ等のＦＰＤやＣＲＴなど、各種画像表示デバイスを駆動回路基板等の回路基板と良好に電気接続することで、優れた画像表示装置を実現できる。従って、その産業上の利用可能性は極めて広く、高い有用性を持つものである。
【符号の説明】
【０１０９】
１０、１０Ａ、１０Ｂ、１０Ｃ    フレキシブル基板
１１    パネル（デバイス）側接続部
１２、１３    回路側接続部
１５、１５Ａ、１５Ｂ、１５Ｃ    基板部
１６、１６Ａ、１８Ａ    第１基板部
１７、１７Ｘ、１７Ａ、１７Ｂ    分岐部
１８、１８Ｘ、１８Ｂ、    第２基板部
１８Ｃ    第３基板部
１９    共通基板部
２１ａ、２１ｂ    パネル（デバイス）側接続端子
２２、２３、２４    回路側接続端子
２５ａ、２５ｂ、２５ｃ    配線
２９、２９Ａ、２９Ｂ    折り曲げ部
３０    ＰＤＰ（画像表示デバイス）
３１    フロントパネルガラス
３２    走査電極
３３    維持電極
３４    表示電極対
３５、４３    誘電体層
３６    保護層
３７    前面基板（フロントパネル）
４１    バックパネルガラス
４２    データ（アドレス）電極
４４    隔壁
４５    蛍光体層
４６    放電空間
４７    背面基板（バックパネル）
５１    引出し線
５２    走査電極用電極端子
５３、５７    電極端子群
５５    短絡線
５６    維持電極用電極端子
５８、５９    フレキシブル基板
６０    プラズマディスプレイ装置
６１    画像信号処理回路
６２    データ電極駆動回路
６３    走査電極駆動回路
６４    維持電極駆動回路
６５    タイミング発生回路
６９    走査パルス発生部
７１、７２、７３、９０    回路基板
７６、７７、９２、９３    コネクター
８１    シャーシ
８２    熱伝導シート
８３    回路基板群
８４    前面枠
８５    バックカバー
【図１】
2011105062.tif 000003
【図２】
2011105062.tif 000004
【図３】
2011105062.tif 000005
【図４】
2011105062.tif 000006
【図５】
2011105062.tif 000007
【図６】
2011105062.tif 000008
【図７】
2011105062.tif 000009
【図８】
2011105062.tif 000010
【図９】
2011105062.tif 000011
【図１０】
2011105062.tif 000012
【図１１】
2011105062.tif 000013
【図１２】
2011105062.tif 000014
【手続補正書】
【提出日】平成24年8月7日(2012.8.7)
【手続補正１】
【補正対象書類名】明細書
【補正対象項目名】全文
【補正方法】変更
【補正の内容】
【発明の詳細な説明】
【技術分野】
【０００１】
本発明は、平板型の画像表示デバイスを用いた画像表示装置に関し、特に画像表示デバイスと回路基板とを接続するためのフレキシブル基板の技術に関する。
【背景技術】
【０００２】
一般にプラズマディスプレイパネル（ＰＤＰ）や液晶ディスプレイパネル（ＬＣＤ）等に代表される、いわゆる平板型の画像表示デバイス（ＦＰＤ）では、ガラス等からなる基板表面に行方向および列方向に多数の電極が延伸して形成され、電極の交点位置等に対応して複数の画素がマトリクス状に配置される。
【０００３】
これらの画像表示デバイスは、フレキシブル基板（Ｆｌｅｘｉｂｌｅ  Ｐｒｉｎｔｅｄ  Ｃｉｒｃｕｉｔｓ）を用いて駆動回路基板と電気接続され、画像表示装置として用いられる。駆動時にはフレキシブル基板を介し、所定の駆動電圧波形に基づいて駆動回路基板側から画像表示デバイスのそれぞれの電極に電圧印加がなされ、画像表示が実現される。
【０００４】
このうち代表的な構造のＰＤＰでは、複数対の表示電極（走査電極及び維持電極）が延伸形成された前面基板と、複数のデータ（アドレス）電極が延伸形成された背面基板を、放電空間を内包させつつ、互いの電極がマトリクスを形成して交差するように対向配置させている。ＰＤＰは一般に長方形状の表示面を有し、通常、その長辺両側部にはデータ電極の電極端子が、一方の短辺側端部には走査電極の電極端子が、他方の短辺側部の他方には維持電極の電極端子が、それぞれ設けられる。各電極端子にはフレキシブル基板が取り付けられる（例えば、特許文献１参照）。ここでＰＤＰにおいては、走査電極の電極端子数が列方向に並ぶ画素数に等しくなっている。
【先行技術文献】
【特許文献】
【０００５】
【特許文献１】特開２００４−０８６１３４号公報
【発明の概要】
【発明が解決しようとする課題】
【０００６】
近年、ＰＤＰ等のＦＰＤの分野において、表示面の高精細化及び大画面化が進んでいる。これに伴い、例えばＰＤＰでは前記マトリクスを構成するように配される表示電極も微細化され、その結果、前記フレキシブル基板と接続される表示電極の電極端子も微細化される。
【０００７】
しかしながら、ＰＤＰの各電極に対して所定の駆動電圧波形を印加するために当該駆動電圧波形を発生する駆動回路を実装した回路基板では、配線間隔や電極端子のピッチが狭すぎると絶縁破壊等の問題の発生が懸念されるため、所定の安全基準を満たさなければならない。これによりＰＤＰが高精細型であっても、ＰＤＰの電極端子のピッチに合わせて単純に駆動回路基板側の電極端子のピッチを狭くすることは難しい。
【０００８】
上記問題の対策として、駆動回路を実装した回路基板上のコネクターや、当該基板の配線の配置の変更が考えられるが、本数が増加したり微細化された電極に対応してコネクターや配線の配置を変えることは非常に困難であるほか、回路基板の配置自体が困難になる問題が生じうる。
【０００９】
一方、画像表示装置については小型化、コンパクト化が求められており、回路基板について小型化も要求されている。しかし、本数が増大した画像表示デバイス側の電極本数の増加に伴って、当該電極に電気接続される回路基板上のコネクターの数も増大するため、基板を小型化することは難しい。
【００１０】
さらに、スペース効率を図るために回路基板上にコネクターを分散配置しようとすれば、フレキシブル基板同士が回路基板上で交錯し、画像表示装置の組み立て工数が増加する。或いは、形の異なる複数のフレキシブル基板を用いることで、各フレキシブル基板に付随するインピーダンス特性のばらつきや、インピーダンス値が増大し、結果的に画像表示デバイスに印加する駆動波形に歪みが重畳し、画像表示品質の低下を招くこととなる。
【００１１】
このような問題について、優れた画像表示性能を発揮できる画像表示装置を製造する上で解決が望まれている。
【００１２】
本発明は以上の課題に鑑みてなされたものであって、たとえ高精細型もしくは大画面型の画像表示デバイスであっても、画像表示デバイスと駆動回路を実装した回路基板とをフレキシブル基板を用いて容易かつコンパクトに電気接続することで、優れた画像表示特性と装置小型化を期待することのできる画像表示装置を提供することを目的とする。
【課題を解決するための手段】
【００１３】
上記目的を達成するために、本発明の一つの実施の形態に係る画像表示装置は、画像表示デバイスと回路基板とが、フレキシブル基板により電気接続された画像表示装置であって、前記フレキシブル基板は、共通基板部と、当該共通基板部より互いに分岐する第１基板部及び第２基板部とを有し、当該フレキシブル基板表面を平面視したとき、前記第１基板部及び前記第２基板部の各々から前記共通基板部に向かって合流するように、複数の配線が並設され、前記共通基板部には、前記画像表示デバイスと接続するためのデバイス側接続端子、前記第１基板部及び前記第２基板部の各々には、前記回路基板と接続するための回路側接続端子がそれぞれ形成され、前記各デバイス側接続端子は前記配線を介して前記各回路側接続端子と一対一で電気接続されており、前記回路基板には、一方の面に第１コネクター、他方の面に第２コネクターが配設され、前記フレキシブル基板は、前記第１基板部または前記第２基板部の少なくともいずれかにおいて折り曲げられた状態で、前記第１コネクターに前記第１基板部の回路側接続端子が接続され、前記第２コネクターに前記第２基板部の回路側接続端子が接続される画像表示装置とした。
【発明の効果】
【００１４】
上記本発明の一つの実施の形態に係る画像表示装置によれば、高精細度の画像表示デバイスであっても、画像表示デバイスの電極と駆動回路を実装した回路基板とを容易に接続できる画像表示装置を提供することが可能となる。
【図面の簡単な説明】
【００１５】
【図１】本発明の実施の形態１におけるフレキシブル基板の構成を示す平面図である。
【図２】本発明の実施の形態１におけるフレキシブル基板が折り曲げられた状態を示す斜視図である。
【図３】本発明の実施の形態２におけるフレキシブル基板の構成を示す平面図である。
【図４】本発明の実施の形態３におけるフレキシブル基板の構成を示す平面図である。
【図５】本発明の実施の形態４におけるフレキシブル基板の構成を示す平面図である。
【図６】本発明の実施の形態５におけるプラズマディスプレイ装置に用いるパネルの分解斜視図である。
【図７】本発明の実施の形態５におけるパネルの前面基板の表示電極対および対応する電極端子の配置を示す模式図である。
【図８】本発明の実施の形態５におけるプラズマディスプレイ装置に用いるパネルの各電極に印加する駆動電圧波形を示す図である。
【図９】本発明の実施の形態５におけるプラズマディスプレイ装置の回路ブロック図である。
【図１０】本発明の実施の形態５におけるプラズマディスプレイ装置の回路基板に実装された駆動回路を示す図である。
【図１１】本発明の実施の形態５におけるプラズマディスプレイ装置の構造を示す分解斜視図である。
【図１２】本発明の実施の形態５におけるプラズマディスプレイ装置のフレキシブル基板の様子を示す拡大図である。
【発明を実施するための形態】
【００１６】
以下、本発明の画像表示装置に用いる、フレキシブル基板の実施の形態１〜４について、各図面を参照しながら説明する。
【００１７】
（実施の形態１）
図１は、本発明の実施の形態１におけるフレキシブル基板１０の構成を示す、平面図である。
【００１８】
フレキシブル基板１０は、画像表示デバイスと駆動回路基板とを電気接続するための可撓性基板である。フレキシブル基板１０はポリイミド等の柔軟な絶縁性樹脂フィルムの片面に、銅箔等の導電性材料からなる複数（ここでは２７０本）の配線２５ａ、２５ｂを所定ピッチでストライプ状に形成し、その上から前記と同様の別の絶縁性樹脂フィルム（可撓性フィルム）で配線２５ａ、２５ｂを被覆して構成される。
【００１９】
フレキシブル基板１０は、図１に示すように、当該基板のほぼ全域を占める基板部１５と、当該基板部１５の端部に形成されたパネル（デバイス）側接続部１１、回路側接続部１２、１３とを備えてなる。
【００２０】
基板部１５はフレキシブル基板１０の主要部分であり、共通基板部１９、第１基板部１６及び第２基板部１８、並びに分岐部１７を備えている。
【００２１】
第１基板部１６は、共通基板部１９から第１の方向（図１の紙面左側から右側）に延伸された長尺状の基板部である。
【００２２】
第２基板部１８は、共通基板部１９から第１の方向と交差する方向に突設された分岐部１７より、さらに第１の方向に延伸された長尺状の基板部である。第１基板部１６及び第２基板部１８の長手方向は、フレキシブル基板１０では平行に配されているが、厳密に平行でなくてもよい。
【００２３】
図１に示すように、フレキシブル基板１０の表面を平面視した場合、配線２５ａは第１基板部１６の長手方向に沿って延伸され、互いに並設された第１のグループをなしている。一方、配線２５ｂは第２基板部１８の長手方向に沿って延伸され、互いに並設された第２のグループをなしている。そして、いずれの配線２５ａ、２５ｂも、共通基板部１９において、所定の間隔（ピッチ）で合流するように配設されている。ここで共通基板部１９上での配線２５ａ、２５ｂのピッチは、第１基板部１６及び第２基板部１８上での配線２５ａ、２５ｂのピッチよりも狭く調整されている。
【００２４】
各配線２５ａ、２５ｂの一方の端部（紙面左側）には、共通基板部１９において外部露出されて形成されたパネル側接続端子（デバイス側接続端子）２１ａ、２１ｂが電気接続されている。一方、各配線２５ａ、２５ｂの他方の端部（紙面右側）には、第１基板部１６及び第２基板部１８において外部露出された回路側接続端子２２、２３が電気接続されている。
【００２５】
各パネル側接続端子２１ａ、２１ｂは所定ピッチで並設され、当該並設領域が、図示しないＰＤＰ等の画像表示デバイス側に設けられた電極端子と接続される、パネル側接続部１１となる。一方、回路側接続端子２２、２３もそれぞれ所定ピッチで並設され、各々の並設領域が図示しない駆動回路基板上のコネクターに接続される、第１回路側接続部１２及び第２回路側接続部１３となる。
【００２６】
なお、分岐部１７と共通基板部１９の境界付近には、第１基板部１６側に第２基板部１８及び分岐部１７を折り曲げるための折り曲げ部２９（図１では一点鎖線で図示）が存在する。
【００２７】
ここで、パネル側接続部１１中の各パネル側接続端子２１ａ、２１ｂのピッチは、当該パネル側接続端子２１ａ、２１ｂに接続されるパネル側の電極端子のピッチに合わせている。一方、回路側接続部１２、１３中の回路側接続端子２２、２３のピッチも、駆動回路基板側上のコネクター内のピッチに合わせている。
【００２８】
ここで一般的に、駆動回路基板に実装されたコネクター内の接続端子のピッチは、電圧印加対象の画像表示デバイスに供給する電圧値や電流値による制約（コネクター内での絶縁破壊等の発生を防止する目的）によって、所定値より小さくすることができない。
【００２９】
このため、特に高精細型ＰＤＰ等の画像表示デバイスでは、当該デバイス上の電極ピッチが非常に狭くなるにもかかわらず、駆動回路基板上のコネクターの端子間距離が安全基準等により制限された関係となる。このため、回路側接続部１２、１３に設けられた回路側接続端子２２、２３のピッチは、いずれもパネル側接続部１１に設けられたパネル側接続端子２１ａ、２１ｂのピッチより広い。
【００３０】
そこで本実施の形態１におけるフレキシブル基板１０では、その特徴として、パネル側接続端子２１ａ、２１ｂのピッチを接続端子２２、２３のピッチよりも狭く設定することで、各々の接続端子の接続先である画像表示デバイスまたは駆動回路基板側と良好に接続できるようになっている。具体例として、パネル側接続部１１のパネル側接続端子２１ａ、２１ｂの本数を配線２５の本数に合わせた２７０個とし、パネル側接続端子２１ａ、２１ｂ同士のピッチを画像表示デバイスに合わせた０．２６ｍｍに設定する。一方、回路側接続部１２の回路側接続端子２２および回路側接続部１３の回路側接続端子２３の数についてはそれぞれ１３５個ずつとし、回路側接続端子２２同士（回路側接続端子２３同士）のピッチを駆動回路基板に合わせた０．４２ｍｍに設定する。フレキシブル基板１０では、このように回路側接続端子２２および回路側接続端子２３のピッチをパネル側接続端子２１ａ、２１ｂのピッチより広く設定するとともに、両ピッチの変化に合わせて配線２５ａ、２５ｂの間隔も変化するように調節している。
【００３１】
次に、フレキシブル基板１０を駆動回路基板に接続する手順例を説明する。図２は、フレキシブル基板１０を回路基板９０に接続する際の様子を示す斜視図である。回路基板９０の側面付近の両面において、一方の面にコネクター９２、他方の面にコネクター９３がそれぞれ配設されている。実際にコネクターを実装する配置の関係上、コネクター９２、９３は基板９０を挟んで互いにずれた位置に配置される。
【００３２】
フレキシブル基板１０を回路基板９０に接続する際には、まず図２のように折り曲げ部２９に沿って分岐部１７、第２基板部１８を緩やかに折り曲げる。次に、第１基板部１６の先端に設けられた回路側接続部１２は、回路基板９０の裏面にあるコネクター９２に差し込む。一方、第２基板部１８の先端に設けられた回路側接続部１３は、回路基板９０の他方の面にあるコネクター９３に差し込む。フレキシブル基板１０では第１基板部１６、第２基板部１８が互いに分岐しており、且つ、折り曲げ部２９に沿って無理なく折り曲げられているため、回路側接続部１２、１３を無理なく回路基板９０側に接続することができる。
【００３３】
なお、フレキシブル基板１０を折り曲げる程度としては、フレキシブル基板１０を折り目がつく程度まで折り畳む必要はなく、図２に示すように、折り曲げ部２９に沿って、なだらかな曲率で緩やかにフレキシブル基板１０を曲げる状態をも含むものとする。
【００３４】
なお、パネル側接続部１１は図示しないＰＤＰなどの画像表示デバイス側に接続される。
【００３５】
ここで、共通基板部１９から第１基板部１６及び第２基板部１８が分岐して設けられているため、フレキシブル基板１０はいったん折り曲げ部２９に沿って緩やかに折り曲げられた部分をさらに別の方向に折り曲げることなく、破損・損傷を防いで良好な形態を保ちながら回路基板９０側に接続でき、長寿命を期待できる。また、各電極端子２１ａ、２１ｂ、１２、１３の各ピッチを適切に変化させたフレキシブル基板１０を用いることで、回路基板９０上のコネクター９２、９３中の接続端子のピッチの制約を受けることなく、図示しない画像表示デバイスと回路基板９０とを良好に電気接続することができる。
【００３６】
すなわち上述したように、フレキシブル基板１０では、回路側接続部１２に設けられた回路側接続端子２２および回路側接続部１３に設けられた回路側接続端子２３のピッチは、回路基板９０やコネクター９２、９３の規格上の制約を受け、パネル側接続部１１中の接続端子２１ａ、２１ｂのピッチより広く設定されている。このため、パネル側接続部１１に比べ、回路側接続部１２、１３の合計幅は広くなる。しかしながら、このようにフレキシブル基板１０を折り曲げて回路側接続部１２、１３を回路基板９０の両面に配されたコネクター９２、コネクター９３に接続すれば、回路側接続端子２２、２３のピッチの都合上、パネル側接続部１１に比べて幅広になっている回路側接続部１２、１３を、駆動回路基板側に良好に電気接続できる。これに加えて、接続後のフレキシブル基板１０の占有幅が、第１基板部１６または第２基板部１８の幅（パネル側接続部１１の幅）と同程度に収まるので、回路側接続部１２、１３の合計幅が比較的広くても、極めてコンパクトな接続形態を形成できる。これにより、回路基板９０上にコネクター９２、９３を複数に亘り形成する場合は、当該コネクター９２、９３をある程度密に、例えばそれぞれ一列に配列しても、フレキシブル基板をそれほど嵩張らずに接続できる。従って、たとえ電極端子のピッチが細かい高精細型パネルのＰＤＰを駆動回路基板に電気接続する場合であっても、複数のフレキシブル基板１０を前記ＰＤＰ側の電極端子に並べて接続し、各フレキシブル基板１０を回路基板９０上のコネクター９２、９３に対してコンパクトに接続することにより、良好な電気接続を図れる。さらに、回路基板９０の各表面にコネクター９２、９３を１列に密に配置できるため、当該基板９０に対してフレキシブル基板１０を密に接続でき、画像表示装置の小型化に貢献できる。
【００３７】
なお上記構成例では、各接続端子２１ａ、２１ｂ、２２、２３の配設個数の一例として、パネル側接続端子２１ａ、２１ｂを２７０個、回路側接続端子２２、２３をともに１３５個とした。この場合には、回路側接続端子２２の配設個数と回路側接続端子２３の配設個数とが等しく、かつ回路側接続端子２２の配設個数と回路側接続端子２３の配設個数の和がパネル側接続端子２１ａ、２１ｂの配設個数の和と等しくなる。しかしながら、本発明では配設個数をこれらの数値およびこれらの関係に限定されない。回路側接続端子２２および回路側接続端子２３の配設個数は互いに異なっていても良いし、回路側接続端子２２の配設個数と回路側接続端子２３の配設個数との和をパネル側接接続端子２１ａ、２１ｂの配設個数に合わせなくてもよい。また、ダミー端子を含めることもできる。例えば、回路側接続部１２および回路側接続部１３にダミーの接続端子が含まれている場合には、回路側接続端子２２の配設個数と回路側接続端子２３の配設個数との和をパネル側接接続端子２１ａ、２１ｂの配設個数より多く設定することもできる。
【００３８】
また他の例として、画像表示デバイスの電極に印加する駆動電圧波形を発生させるための集積回路が駆動回路基板において複数実装されており、１つの集積回路から、例えば９０本分の駆動電圧波形が出力される場合を想定する。このとき、回路側接続部１２の回路側接続端子２２の配設個数は集積回路２個分の１８０個、回路側接続部１３の回路側接続端子２３の配設個数は集積回路１個分の９０個にそれぞれ設定してもよい。このように、回路側接続端子２２と回路側接続端子２３との配設個数が異なっていてもよい。また上記では各接続端子の配設個数を集積回路の出力数の整数倍としたが、集積回路の出力数とは関係なく設定してもよい。
【００３９】
以下、本発明の別の実施の形態について、実施の形態１との差異を中心に順次説明する。
【００４０】
（実施の形態２）
図３は、本発明の実施の形態２に係るフレキシブル基板１０Ａを示す平面図である。
【００４１】
フレキシブル基板１０Ａは、全体的な形状はフレキシブル基板１０と同様に、基板部１５Ａにおいて、共通基板部１９から延出した第１基板部１６Ａと、分岐部１７Ｘを介して第１基板部１６Ａの長手方向に沿って延伸された第２基板部１８Ｘを備える。ここで、全ての配線２５ａ、２５ｂの長さが同一に揃えられている点がフレキシブル基板１０と異なっている。これにより、パネル側接続端子２１ａから回路側接続端子２２までの電流経路長、及びパネル側接続端子２１ｂから回路側接続端子２３までの電流経路長が同一になっている。
【００４２】
なお、ここで言う「同一」とは、完全同一に限定されず、実際上の設計誤差を含め、±５％以内の誤差を含む。全ての配線２５ａ、２５ｂの長さを同一にしたことにより、フレキシブル基板１０Ａではフレキシブル基板１０に比べて第２基板部１８Ｘの長さが短くなっている。
【００４３】
このような調整により、フレキシブル基板１０Ａでは、パネル側接続端子２１ａ、２１ｂと回路側接続端子２２、２３を結ぶ全ての電流経路のインピーダンスが等しくなるため、画像表示デバイスの画像表示性能の向上を期待することができる。以下、その理由を説明する。
【００４４】
実施の形態５にて後述するように、例えばＰＤＰの走査電極には、維持期間において大きなピーク電流を流す必要がある。このとき仮に走査電極のそれぞれに至る電流経路のインピーダンスのばらつきが存在すると、駆動電圧波形に重畳するリンギングにもばらつきが発生するため、画像表示品質の低下を招くおそれがある。
【００４５】
この問題に対し、フレキシブル基板１０Ａを用いて、駆動回路基板と画像表示デバイス（ＰＤＰ）を電気接続した画像表示装置では、各走査電極に至るそれぞれの配線の電流経路のインピーダンスをほぼ等しくすることができるので、リンギングのばらつきを抑え、優れた品質の画像表示性能を発揮することが可能な画像表示装置を実現できることとなる。
【００４６】
（実施の形態３）
図４に、本発明の実施の形態３に係るフレキシブル基板１０Ｂを示す。
【００４７】
フレキシブル基板１０Ｂは、基板部１５Ｂにおいて、共通基板部１９より互いに対称な形状を持つ分岐部１７Ａ、１７Ｂ及び第１基板部１８Ａ、第２基板部１８Ｂを形成してなる。この場合、折り曲げ部２９はいずれかの分岐部１７Ａ、１７Ｂの上に設けられる。図４では、分岐部１７Ｂの上に折り曲げ部２９Ａを設けた構成を示している。フレキシブル基板１０Ｂでは、第１基板部１８Ａが分岐部１７Ａより延伸して配されている。
【００４８】
このような構成を持つフレキシブル基板１０Ｂにおいても、実施の形態１のフレキシブル基板１０と同様の効果を期待できる。また、実施の形態２と同様に各配線２５ａ、２５ｂの長さが同一であるため、フレキシブル基板１０Ｂにおいて電流経路が同一になり、インピーダンス特性の均一化が図れるという効果も奏される。
【００４９】
（実施の形態４）
次に図５に実施の形態４に係るフレキシブル基板１０Ｃの構成を示す。
【００５０】
フレキシブル基板１０Ｃは、実施の形態３のフレキシブル基板１０Ｂを基本構造とする基板部１５Ｃを有し、さらに共通基板部１９から第３基板部１８Ｃを設けた構成を持つ。第１基板部１８Ａ、第２基板部１８Ｂ、第３基板部１８Ｃは、いずれも所定距離をおいて、互いに平行に延伸された長尺状体であり、それぞれ長手方向長さが異なっている。図５の構成例では、第３基板部１８Ｃ、第２基板部１８Ｂ、第１基板部１８Ａの順に長さが長く調整されている。しかしながら、この順序の長さの違いには限定されない。第１基板部１８Ａ、第２基板部１８Ｂ、第３基板部１８Ｃの各長手方向端部には回路接続部１２、１３、１４がそれぞれ設けられ、同順に接続端子２２、２３、２４がそれぞれ所定ピッチで配設されている。３つの基板部１８Ａ〜１８Ｃには、それぞれ配線２５ａ、２５ｂ、２５ｃが配される。また共通基板部１９のパネル側接続部１１には、配線２５ａ、２５ｂ、２５ｃと接続されるパネル側接続端子２１ａ、２１ｂ、２１ｃが所定ピッチで配設されている。
【００５１】
また、分岐部１７Ａ、１７Ｂの各上に折り曲げ部２９Ａ、２９Ｂが設けられている。
【００５２】
このような構成のフレキシブル基板１０Ｃは、例えば一方の面に第１のコネクター、他方の面に第２及び第３のコネクターが直列に設けられた駆動回路基板に対して、容易に接続することができる。
【００５３】
すなわち、駆動回路基板の一方の面に設けられた第１コネクターに対して、まず接続部１４を接続する。次に折り曲げ部２９Ａ、２９Ｂにて分岐部１７Ａ、１７Ｂ及び基板部１８Ａ、１８Ｂを紙面奥側に折り返し、駆動回路基板の他方の面に配された第２コネクター、第３コネクターに接続部１２、１３をそれぞれ差し込む。このとき、基板部１８Ａ〜１８Ｃの長さが互いに異なっているため、３つのコネクターが駆動回路基板を平面視した場合に直列に配設されている場合、特に効率よく接続部１２〜１４を接続することが可能である。
【００５４】
次に、本発明の実施の形態５として、実施の形態１に係るフレキシブル基板１０を用いてなる画像表示装置の構成例を各図を参照しながら説明する。
【００５５】
（実施の形態５）
図６は、本発明の実施の形態５におけるプラズマディスプレイ装置に用いるパネル（ＰＤＰ）の分解斜視図である。
【００５６】
ＰＤＰ３０は長方形状の表示面を持ち、前面基板（フロントパネル）３７と背面基板（バックパネル）４７とを放電空間をおいて対向配置し、両基板３７、４７を各周囲において封着し、前記放電空間に放電ガスを封入して構成される。
【００５７】
具体的に前面基板３７では、フロントパネルガラス３１の一方の表面に、帯状の走査電極３２及び維持電極３３とからなる一対の表示電極対３４を、複数対にわたり並設している。そして、表示電極対３４を覆うように所定の比誘電率を有する誘電体層３５が形成され、当該誘電体層３５の上に、放電の衝撃から誘電体層３５を保護するとともに、二次電子放出特性を発揮するための保護層３６が形成される。
【００５８】
一方、背面基板４７では、バックパネルガラス４１の表面に帯状のデータ（アドレス）電極４２を平行に並設し、各データ電極４２を覆うように誘電体層４３を形成している。誘電体層４３の表面には、井桁状の隔壁４４が形成される。隔壁４４の側面及びこれに取り囲まれる誘電体層４３の表面には、ＲＧＢいずれかの色の蛍光体層４５が形成される。
【００５９】
なお表示電極対３４を構成する走査電極３２、維持電極３３、及びデータ電極４２の各々は、前面板３７の画像表示領域の外側に位置する周辺部に所定ピッチで設けられた電極端子の各々に対し、一対一で接続される。ここで、ＰＤＰ３０を超高精細型パネルとする場合、その走査電極３２および維持電極３３の数ｎは、例えばｎ＝２１６０本に及ぶ。
【００６０】
前面基板３７と背面基板４７とは、微小な放電空間４６を挟んで表示電極対３４とデータ電極４２とが交差するように対向配置され、その周囲において、ガラスフリット等を含む封着材によって封着される。そして放電空間４６には、例えばネオンとキセノンの混合ガスからなる放電ガスが、所定圧力で封入されている。
【００６１】
放電空間４６は隔壁４４によって複数の区画に仕切られており、表示電極対３４とデータ電極４２とが交差する個々の部分に対応して、放電セルが形成されている。これにより、例えば行方向に長いｎ本の走査電極３２およびｎ本の維持電極３３をフロントパネルガラス３１上に配列し、列方向に長いｍ本のデータ電極４２をバックパネルガラス４１上に配列したＰＤＰ３０では、合計ｍ×ｎ個の放電セルが形成されることになる。
【００６２】
このような構成を持つＰＤＰ３０では、駆動時にはいずれかの放電セルにおいて走査電極３２とデータ電極４２との間で書き込み放電がなされ、発光すべき放電セルが特定されたのち、当該放電セルに位置する一対の表示電極対３４間において維持放電が発生する。このとき生じる紫外線を蛍光体層４５で可視光変換し、可視光を外部に取り出すことで、所定の画像表示が実現される。たとえばｍ×ｎ個の放電セルが形成された場合、当該放電セルの形成領域が前面基板３７の画像表示領域となる。
【００６３】
次に示す図７は、ＰＤＰ３０の前面基板３７において、フロントパネルガラス３１上における表示電極対３４（走査電極３２及び維持電極３３）と、電極端子５２、５６の配置関係を示す模式図である。
【００６４】
各走査電極３２には、異なった駆動電圧を印加する必要がある。そのために各走査電極３２は引出し線５１によって、表示面側から見た場合の画像表示領域外の右側の周辺部（従って図７の左側の周辺部）に設けられた各走査電極用電極端子５２と独立して接続されている。走査電極用電極端子５２には、実施の形態１に係るフレキシブル基板１０のパネル側接続部１１と接続するために、複数本ずつグルーピングされて電極端子群５３として配置されている。ここで図７では、４８本の走査電極３２と、８本ずつ６つの電極端子群５３にグルーピングされた４８本の走査電極用電極端子５２とを示している。
【００６５】
本実施の形態５においては、例えば走査電極３２は２１６０本とし、走査電極用電極端子５２は２７０本ずつ８個の電極端子群５３にグルーピングすることができる。この場合、それぞれの電極端子群５３に１枚ずつ、合計８枚のフレキシブル基板１０が接続される。
【００６６】
一方、維持電極３３のそれぞれには同一の駆動電圧を印加すればよいので、各維持電極３３は一括して同電位の電圧を印加するための短絡線５５に接続されている。そして短絡線５５にフレキシブル基板５８を接続するために、維持電極用電極端子５６が複数の電極端子群５７にグルーピングされ、画像表示領域外の左側周辺部（従って図７の右側の周辺部）に設けられている。
【００６７】
なお、図７に示す結線はもちろん例示に過ぎない。このため、各維持電極３３を複数の維持電極群に分割し、それぞれの維持電極群で異なった駆動電圧波形を印加できるように、同一の駆動電圧波形を印加する維持電極同士を短絡線で短絡し、それぞれの短絡線に対してフレキシブル基板５８を接続してもよい。
【００６８】
なお、図７に示す電極３２、３３の各本数は構成理解のために減じたものであり、当然ながら本発明はこの本数に限定されない。
【００６９】
次に、ＰＤＰ３０を駆動するための駆動電圧波形の一例について、図８を用いて説明する。
【００７０】
図８に示すように、ＰＤＰ３０の駆動方法としては、１フィールドの期間を複数のサブフィールドに分割し、それぞれのサブフィールドで各放電セルの発光・非発光を制御することにより画像を表示する、いわゆる時分割表示方式を採用できる。各サブフィールドは初期化期間、書込み期間、維持期間を有する。なお、図８には３つのサブフィールドに対する駆動電圧波形を示しているが、各フィールドに存在する他のサブフィールドにおける駆動電圧波形もほぼ同様である。
【００７１】
図８に示すように、最初のサブフィールドにおける初期化期間では、データ電極４２および維持電極３３に電圧０（Ｖ）を印加するとともに、走査電極３２に電圧Ｖｉ１から電圧Ｖｉ２に向かって緩やかに上昇するランプ電圧を印加する。その後、維持電極３３に電圧Ｖｅ１を印加するとともに、走査電極３２に電圧Ｖｉ３から電圧Ｖｉ４に向かって緩やかに下降するランプ電圧を印加する。すると各放電セルで微弱な初期化放電が発生し、続く書込み動作に必要な壁電荷が、各電極３２、３３、４２付近に対応する放電セル内領域に形成される。
【００７２】
なお、初期化期間の動作としては、データ電極４２及び維持電極３３の電位を維持しつつ、２番目および３番目のサブフィールドの初期化期間に示したように、走査電極３２に対して緩やかに下降するランプ電圧を印加するだけでもよい。
【００７３】
続く書込み期間では、維持電極３３に電圧Ｖｅ２を、走査電極３２に電圧Ｖｃをそれぞれ印加する。次に、最初に書込み動作を行う走査電極３２に電圧Ｖａの走査パルスを印加するとともに、発光すべき放電セルに対応するデータ電極４２に電圧Ｖｄの書込みパルスを印加する。すると走査パルスと書込みパルスとが同時に印加された放電セルでは書込み放電が発生し、放電セルの走査電極３２上および維持電極３３上に壁電荷を蓄積する書込み動作が行われる。
【００７４】
次に、２番目に書込み動作を行う走査電極３２に走査パルスを印加するとともに、発光すべき放電セルに対応するデータ電極４２に書込みパルスを印加する。すると走査パルスと書込みパルスとが同時に印加された放電セルでは書込み放電が発生して書込み動作が行われる。このような書込み動作を発光すべき全ての放電セルで行い、発光すべき放電セルに対して選択的に書込み放電を発生させ、壁電荷を形成する。
【００７５】
このように走査電極３２には、それぞれ異なった駆動電圧を印加する必要がある。また電圧Ｖｃと電圧Ｖａとの差電圧は、通常は５０（Ｖ）〜１５０（Ｖ）程度である。そのため、この差電圧に依存して、フレキシブル基板１０の回路側接続部１２、１３の接続端子２２、２３の間隔や、それを接続する駆動回路基板側コネクターの端子間距離の最小値が制限されることとなる。
【００７６】
続く維持期間では、維持電極３３に電圧０（Ｖ）を印加する。そして走査電極３２に電圧Ｖｓの維持パルスを印加する。すると、書込み放電を起こした放電セルでは維持放電が起こり発光する。
【００７７】
次に、走査電極３２に電圧０（Ｖ）を印加するとともに、維持電極３３に電圧Ｖｓの維持パルスを印加する。すると維持放電を起こした放電セルでは再び維持放電が起こり発光する。以降、輝度重みに応じた維持パルスを走査電極３２と維持電極３３とに交互に印加して、放電セルを発光させる。
【００７８】
このとき、走査電極３２のそれぞれには放電に伴う大きなピーク電流が流れる。そしてこの電流を安定して流すために、回路基板の配線の太さやフレキシブル基板の回路側接続部の接続端子の幅の最小値が制限される。
【００７９】
そして、維持期間の最後には電圧Ｖｒに向かって緩やかに上昇するランプ電圧を走査電極３２に印加して、データ電極４２上の正の壁電圧を残したまま、走査電極３２上および維持電極３３上の壁電圧を弱める。こうして維持期間における維持動作が終了する。
【００８０】
続くサブフィールドにおいても、上述したサブフィールドと同様の動作を行う。このようにして、１フィールドの期間を複数のサブフィールドで構成し、放電セルを発光させるサブフィールドを制御して階調表示することができる。
【００８１】
なお、画素数の多い高精細型パネルでは、全ての表示電極対３４に対して上述した駆動方法を適用すると、書込み動作に要する時間が長くなりすぎて階調表示に必要なサブフィールド数が確保できなくなるという問題がある。しかしその場合には、例えば表示電極対３４を複数の表示電極対グループに分け、それぞれの表示電極対グループ毎に上述した駆動方法を適用することで必要とするサブフィールド数を確保することができる。
【００８２】
図９は、本発明の実施の形態５におけるプラズマディスプレイ装置６０の回路ブロック図である。
【００８３】
当図に示すように、プラズマディスプレイ装置６０は、ＰＤＰ３０、画像信号処理回路６１、データ電極駆動回路６２、走査電極駆動回路６３、維持電極駆動回路６４、タイミング発生回路６５および各回路ブロックに必要な電源を供給する電源部（図示せず）を備えている。
【００８４】
画像信号処理回路６１は、入力された画像信号をサブフィールド毎の発光・非発光を示す画像データに変換する。データ電極駆動回路６２はサブフィールド毎の画像データをデータ電極４２のそれぞれに印加する書込みパルスに変換する。タイミング発生回路６５は水平同期信号、垂直同期信号をもとにして各回路ブロックの動作を制御する各種のタイミング信号を発生し、それぞれの回路ブロックへ供給する。走査電極駆動回路６３はタイミング信号にもとづいて走査電極３２のそれぞれに印加する駆動電圧波形を発生し、維持電極駆動回路６４はタイミング信号にもとづいて維持電極３３に印加する駆動電圧波形を発生する。そしてこれらの駆動回路は、複数枚の回路基板上に実装されている。
【００８５】
次に図１０は、本発明の実施の形態５におけるプラズマディスプレイ装置６０の回路基板に実装された駆動回路を示す図であり、走査電極駆動回路６３の一例を示している。
【００８６】
この構成例では、走査電極駆動回路６３の維持パルスを発生する維持パルス発生部と初期化波形を発生する初期化波形発生部とは回路基板７１に実装されている。また、走査パルスを発生させる走査パルス発生部６９は回路基板７２および回路基板７３に分割して実装されている。
【００８７】
図１１は、本発明の実施の形態５における画像表示装置である、プラズマディスプレイ装置６０の構造を示す分解斜視図である。
【００８８】
プラズマディスプレイ装置６０では、ＰＤＰ３０はその背面において、複数の熱伝導シート８２を介してシャーシ８１に取着される。さらにシャーシ８１の背面には、ＰＤＰ３０を駆動するための電源回路基板及び各駆動回路基板（走査電極駆動回路、維持電極駆動回路、タイミング発生回路等、ＰＤＰ３０を駆動するための回路を搭載した回路基板群８３）が配設される。これらＰＤＰ３０と回路基板群８３とは、フレキシブル基板１０、５８、５９を介して電気的に接続される。これらの構成要素は、いずれも前面枠８４およびバックカバー８５の間に収納されている。
【００８９】
具体的にみるとＰＤＰ３０では、一方の短辺側（図１１の紙面手前側）に走査電極用電極端子５２、他方の短辺側に維持電極用電極端子５６、長辺側にデータ電極用電極端子）がそれぞれ設けられている（いずれも不図示）。
【００９０】
そして、走査電極用電極端子にはフレキシブル基板１０、維持電極用電極端子にはフレキシブル基板５８、データ電極用電極端子にはフレキシブル基板５９がそれぞれ電気的に接続される。
【００９１】
熱伝導シート８２は、ＰＤＰ３０をシャーシ８１に接着する接着手段であるとともに、ＰＤＰ３０で発生した熱をシャーシ８１に放熱して逃がすために設けられている。シャーシ８１は、一方の面で熱伝導シート８２を介してＰＤＰ３０を保持するとともに、他方の面で回路基板群８３の各回路基板も保持している。
【００９２】
図１１には、回路基板群８３のうち、走査電極駆動回路６３の維持パルス発生部と初期化波形発生部とを実装した回路基板７１、および走査電極駆動回路６３の走査パルス発生部６９を実装した回路基板７２、回路基板７３を明示している。また回路基板７２、回路基板７３には、走査電極３２のそれぞれに駆動電圧波形を出力するためのコネクター７６およびコネクター７７がそれぞれ複数設けられている。本実施の形態５においては、回路基板７２、回路基板７３の一方の面（裏面）に、フレキシブル基板１０の回路側接続部１２を接続するコネクター７６が複数設けられ、回路基板７２、回路基板７３の他方の面（表面）に、フレキシブル基板１０の回路側接続部１３を接続するコネクター７７が複数設けられている。
【００９３】
ＰＤＰ３０の走査電極用電極端子５２に接続されたフレキシブル基板１０は、回路側接続部１２および１３（不図示）において、シャーシ８１を乗り越えてコネクター７６およびコネクター７７のそれぞれに接続されている（図中の２点鎖線矢印）。
【００９４】
図１２は、本発明の実施の形態５におけるプラズマディスプレイ装置６０のフレキシブル基板１０の接続の様子を示す拡大図である。
【００９５】
当図に示す構成では、フレキシブル基板１０を接続するため、回路基板７２の一方の主面にコネクター７６、他方の主面にコネクター７７がそれぞれ配設されている。
【００９６】
フレキシブル基板１０におけるパネル側接続部１１は、ＰＤＰ３０の前面基板３１の短辺側の一方に設けられた走査電極用電極端子５２（図示せず）に接続されている。フレキシブル基板１０を走査電極用電極端子５２に接続するには、例えば異方性導電フィルムを挟んでフレキシブル基板１０と走査電極用電極端子５２とを重ね、加熱圧着すればよい。
【００９７】
フレキシブル基板１０は第２基板部１８が第１基板部１６と重なるように折り曲げ部２９で折り曲げられており、この状態でシャーシ８１（図示せず）を乗り越えて回路基板７２側へ曲げられている。そしてフレキシブル基板１０の回路側接続部１２は回路基板７２の裏面側に設けられたコネクター７６に接続され、回路側接続部１３は回路基板７２の表面側に設けられたコネクター７７に接続されている。
【００９８】
なお、図１２には構成理解のためシャーシ８１を省略しているが、図１１に示したように、ＰＤＰ３０と回路基板７２との間にはシャーシ８１が存在する。
【００９９】
図８を用いて説明したように、ＰＤＰ３０の走査電極３２にはそれぞれ異なった駆動電圧波形を印加する必要があり、異なる走査電極３２には書込み期間において５０（Ｖ）〜１５０（Ｖ）の大きな電位差が印加される。さらに維持期間において走査電極３２には大きな電流を流す必要がある。そのため、回路側接続端子２２および回路側接続端子２３のピッチは無制限に小さくできない。一方、ＰＤＰ３０を高精細型パネルとする場合、走査電極用電極端子５２の間隔は走査電極３２の間隔に依存して狭くなる。そのため回路側接続端子２２および回路側接続端子２３のピッチとしては、パネル側接続部１１に設けられた接続端子２１ａ、２１ｂのピッチよりも広くせざるを得ない。
【０１００】
しかしながら、実施の形態１におけるフレキシブル基板１０を用いることで、パネル側接続端子２１ａ、２１ｂと回路側接続端子２２、２３の互いのピッチが同一でない場合でも、当該フレキシブル基板１０上で各端子２１ａ、２１ｂ、２２、２３のピッチを適宜変化させ、そのピッチ差を吸収することが可能である（図１参照）。
【０１０１】
また、フレキシブル基板１０を折り曲げ部２９に沿って緩やかに折り曲げ、回路基板７２の裏面側に設けられたコネクター７６と表面側に設けられたコネクター７７とに接続することで、フレキシブル基板１０を実装したときにフレキシブル基板１０が占有する幅をパネル側接続部１１の幅と同程度に収めることができる。そのため、高精細型パネルのＰＤＰ３０に複数のフレキシブル基板１０を接続した画像表示装置であっても、コネクター７６、コネクター７７を例えば回路基板７２の表面上および裏面上にそれぞれ１列に配置し、密に各フレキシブル基板１０を接続することができ、コンパクトな画像表示装置を実現できる。
【０１０２】
なお本実施の形態５のプラズマディスプレイ装置６０においては、パネル側接続部１１と回路側接続部１３との距離が、パネル側接続部１１と回路側接続部１２との距離よりも長いフレキシブル基板１０を例に説明した。これはコネクター７６を回路基板７２の端部に近い裏面側に配置し、コネクター７７を回路基板７２の端部から遠い表面側に配置することで、回路側接続部１２とコネクター７６とを作業性よく接続し、回路側接続部１３とコネクター７７とを作業性よく接続するためである。
【０１０３】
しかし本発明はこれに限定されるものではない。例えばコネクター７６は回路基板７２の端部から遠い裏面側に配置され、コネクター７７は回路基板７２の端部に近い表面側に配置されてもよく、またコネクター７６が配置される端部からの距離は、コネクター７７が配置される端部からの距離とほぼ等しくてもよい。あるいは、回路基板７２、回路基板７３の表面側にフレキシブル基板１０の回路側接続部１２を接続するコネクター７６が複数設けられ、回路基板７２、回路基板７３の裏面側にフレキシブル基板１０の回路側接続部１３を接続するコネクター７７が複数設けられてもよい。このように、コネクター７６およびコネクター７７が配置される位置は、パネル側接続部１１と回路側接続部１２および回路側接続部１３との位置、配線２５が形成される基材の面等に依存して設定される。
【０１０４】
（その他の事項）
実施の形態５では、実施の形態１のフレキシブル基板１０をＰＤＰ３０と駆動回路基板７１〜７３に接続した画像表示装置について例示したが、当然ながら本発明はこの構成に限定されず、その他の実施の形態２〜４のいずれかのフレキシブル基板をＰＤＰ３０と駆動回路基板７１〜７３に接続した画像表示装置とすることもできる。
【０１０５】
なお、実施の形態１〜５において示した具体的な数値等は例示にすぎず、本発明はこれらの数値に何ら限定されるものではない。これらの数値等は、使用する画像表示デバイスの特性や画像表示装置の仕様等にあわせて最適に設定することが望ましい。
【０１０６】
また、上記各実施の形態１、５では、フレキシブル基板１０の回路側接続部１２、１３を主として回路基板７２、７３に接続する構成を例示したが、当然ながら本発明はこれに限定されず、画像表示装置内部に配設される、その他の回路基板にフレキシブル基板の回路側接続部を接続することもできる。
【０１０７】
上記実施の形態５では、画像表示デバイスとしてＰＤＰを例示したが、ＬＣＤや有機ＥＬディスプレイパネル（ＯＥＬＤ）等、その他の画像表示デバイスに置き換えることも可能である。
【産業上の利用可能性】
【０１０８】
本発明は、例えば高精細型パネルのＰＤＰの他、一般的な規格のＰＤＰや、ＬＣＤ、ＯＥＬＤ等のＦＰＤやＣＲＴなど、各種画像表示デバイスを駆動回路基板等の回路基板と良好に電気接続することで、優れた画像表示装置を実現できる。従って、その産業上の利用可能性は極めて広く、高い有用性を持つものである。
【符号の説明】
【０１０９】
１０、１０Ａ、１０Ｂ、１０Ｃ    フレキシブル基板
１１    パネル（デバイス）側接続部
１２、１３    回路側接続部
１５、１５Ａ、１５Ｂ、１５Ｃ    基板部
１６、１６Ａ、１８Ａ    第１基板部
１７、１７Ｘ、１７Ａ、１７Ｂ    分岐部
１８、１８Ｘ、１８Ｂ、    第２基板部
１８Ｃ    第３基板部
１９    共通基板部
２１ａ、２１ｂ    パネル（デバイス）側接続端子
２２、２３、２４    回路側接続端子
２５ａ、２５ｂ、２５ｃ    配線
２９、２９Ａ、２９Ｂ    折り曲げ部
３０    ＰＤＰ（画像表示デバイス）
３１    フロントパネルガラス
３２    走査電極
３３    維持電極
３４    表示電極対
３５、４３    誘電体層
３６    保護層
３７    前面基板（フロントパネル）
４１    バックパネルガラス
４２    データ（アドレス）電極
４４    隔壁
４５    蛍光体層
４６    放電空間
４７    背面基板（バックパネル）
５１    引出し線
５２    走査電極用電極端子
５３、５７    電極端子群
５５    短絡線
５６    維持電極用電極端子
５８、５９    フレキシブル基板
６０    プラズマディスプレイ装置
６１    画像信号処理回路
６２    データ電極駆動回路
６３    走査電極駆動回路
６４    維持電極駆動回路
６５    タイミング発生回路
６９    走査パルス発生部
７１、７２、７３、９０    回路基板
７６、７７、９２、９３    コネクター
８１    シャーシ
８２    熱伝導シート
８３    回路基板群
８４    前面枠
８５    バックカバー
【手続補正２】
【補正対象書類名】特許請求の範囲
【補正対象項目名】全文
【補正方法】変更
【補正の内容】
【特許請求の範囲】
【請求項１】
画像表示デバイスと回路基板とが、フレキシブル基板により電気接続された画像表示装置であって、
前記フレキシブル基板は、共通基板部と、当該共通基板部より互いに分岐する第１基板部及び第２基板部とを有し、
当該フレキシブル基板表面を平面視したとき、前記第１基板部及び前記第２基板部の各々から前記共通基板部に向かって合流するように、複数の配線が並設され、
前記共通基板部には、前記画像表示デバイスと接続するためのデバイス側接続端子、前記第１基板部及び前記第２基板部の各々には、前記回路基板と接続するための回路側接続端子がそれぞれ形成され、前記各デバイス側接続端子は前記配線を介して前記各回路側接続端子と一対一で電気接続されており、
前記回路基板には、一方の面に第１コネクター、他方の面に第２コネクターが配設され、
前記フレキシブル基板は、前記第１基板部または前記第２基板部の少なくともいずれかにおいて折り曲げられた状態で、前記第１コネクターに前記第１基板部の回路側接続端子が接続され、前記第２コネクターに前記第２基板部の回路側接続端子が接続される
画像表示装置。
【請求項２】
前記各回路側接続端子のピッチが、前記各デバイス側接続端子間のピッチよりも大きく調整されている
請求項１に記載の画像表示装置。
【請求項３】
前記回路基板には、前記第１コネクター及び前記第２コネクターの少なくともいずれかが、複数個にわたり列状に配設されている
請求項２に記載の画像表示装置。
【請求項４】
前記第１基板部は長尺状であり、
前記第２基板部は、前記共通基板部から突設された分岐部と、当該分岐部から前記第１基板部の長手方向に平行に延伸された延伸部で構成され、前記第１基板部の長手方向末端及び前記第２基板部の延伸部の延伸方向末端の各々に、前記回路側接続端子が設けられている
請求項１に記載の画像表示装置。
【請求項５】
前記第１及び第２基板部はともに長尺状であり、
各々の長手方向に沿って、前記第２基板部の長さが前記第１基板部の長さよりも短く、且つ、前記第１基板部及び前記第２基板部にそれぞれ対応して配設される各配線の長さが同じである
請求項１に記載の画像表示装置。
【請求項６】
前記第１及び第２基板部はともに長尺状であり、
各々の長手方向に沿って、前記第２基板部の長さが前記第１基板部の長さよりも長く、且つ、前記第２基板部に対応して配設された各配線の長さが、前記第１基板部に対応して配設された各配線の長さよりも長い
請求項１に記載の画像表示装置。
【請求項７】
前記共通基板部より、前記第１基板部及び前記第２基板部と分岐する第３基板部が形成され、
前記第１基板部、前記第２基板部、前記第３基板部はともに長尺状であり、且つ、各長手方向に沿った長さが、互いに異なる
請求項１に記載の画像表示装置。
【請求項８】
前記フレキシブル基板において、前記各配線は、２層の樹脂フィルム層に被覆されている
請求項１に記載の画像表示装置。
【請求項９】
前記画像表示デバイスは、フロントパネル及びバックパネルが放電空間を挟んで対向配置され、両パネル間に放電ガスが封止されたプラズマディスプレイパネルであって、
前記フロントパネルは、フロントパネルガラス表面に、走査電極及び維持電極からなる一対の表示電極が複数対にわたり並設され、前記各複数対の表示電極が誘電体層で被覆されて構成され、
前記バックパネルは、バックパネルガラス表面にデータ電極が、前記表示電極と直交する方向に沿って並設され、前記各データ電極が誘電体層で被覆されて構成され、
前記フレキシブル基板の各デバイス側接続端子は、前記各走査電極と電気接続されている
請求項１に記載の画像表示装置。
【手続補正３】
【補正対象書類名】図面
【補正対象項目名】全図
【補正方法】変更
【補正の内容】
【図１】
2011105062.tif 000015
【図２】
2011105062.tif 000016
【図３】
2011105062.tif 000017
【図４】
2011105062.tif 000018
【図５】
2011105062.tif 000019
【図６】
2011105062.tif 000020
【図７】
2011105062.tif 000021
【図８】
2011105062.tif 000022
【図９】
2011105062.tif 000023
【図１０】
2011105062.tif 000024
【図１１】
2011105062.tif 000025
【図１２】
2011105062.tif 000026
【国際調査報告】
2011105062.tif 000027
2011105062.tif 000028
2011105062.tif 000029
2011105062.tif 000030